(57)【要約】  信号の送信のための方法１０００が、１つ又は複数の振幅と、１つ又は複数の周波数と、１つ又は複数の位相角と、１つ又は複数の時間期間と、それらの組合せとを備えるグループから選択された特徴を有する１つ又は複数の変調信号を受信するステップ１０２０と、１つ又は複数の変調信号の１つ又は複数の値による１つ又は複数のゼロ電圧交差点において、所定の１つ又は複数の特性を有する１つ又は複数の波サイクルを含む、１つ又は複数の正弦波搬送波を生成するステップ１０４０とを含む。１つ又は複数の正弦波搬送波の１つ又は複数の波サイクルの各々の１つ又は複数の特性は、１つ又は複数の波サイクルの各々の完了後にのみ、１つ又は複数の変調信号の１つ又は複数の値に比例して変わるように構成される。
2021528910.tif 000002
【特許請求の範囲】
【請求項１】
信号の送信のための方法（１０００）であって、前記方法が、
１つ又は複数の振幅と、１つ又は複数の周波数と、１つ又は複数の位相角と、それらの組合せとを備えるグループから選択された特徴を有する１つ又は複数の変調信号を受信するステップ（１０２０）と、
前記１つ又は複数の変調信号の１つ又は複数の値による１つ又は複数のゼロ電圧交差点において、所定の１つ又は複数の特性を有する１つ又は複数の波サイクル（１０４）を含む、１つ又は複数の正弦波搬送波（１１２）を生成するステップ（１０４０）と
を含み、
前記１つ又は複数の波サイクル（１０４）が、１つ又は複数のサイン波サイクル（１０６）と、１つ又は複数のゼロ電圧サイクル（１１０）と、１つ又は複数の基準サイクルと、それらの組合せとを備えるグループから選択され、
前記１つ又は複数の波サイクル（１０４）の各々は、前記１つ又は複数の正弦波搬送波（１１２）が、前記１つ又は複数のゼロ電圧交差点において開始し、あらかじめ定義された期間の後の連続する１つ又は複数のゼロ電圧交差点において終了するように構成された場合、達成され、
前記１つ又は複数の正弦波搬送波の前記１つ又は複数の波サイクル（１０４）の各々の前記１つ又は複数の特性が、１つ又は複数のゼロ電圧交差点の各々における前記１つ又は複数の波サイクル（１０４）の各々の完了後にのみ、前記１つ又は複数の変調信号の１つ又は複数の値に比例して変わるように構成され、
前記１つ又は複数の正弦波搬送波の前記１つ又は複数の波サイクル（１０４）の各々の前記１つ又は複数の特性が、変調信号の前記１つ又は複数の値を表し、
生成された前記１つ又は複数の正弦波搬送波（１１２）の各々が、純粋なサイン波特性を保持するように構成されている、
方法（１０００）。
【請求項２】
前記１つ又は複数のサイン波サイクル（１０６）が、半波サイクル（１０８）と、全波サイクル（１０７）と、それらの組合せとを備えるグループから選択される、請求項１に記載の方法（１０００）。
【請求項３】
生成された前記１つ又は複数の正弦波搬送波（１１２）の前記１つ又は複数のサイン波サイクル（１０６）が、前記１つ又は複数のサイン波サイクル（１０６）の各々について、純粋なサイン波関数を含む、請求項１に記載の方法（１０００）。
【請求項４】
前記１つ又は複数のゼロ電圧サイクル（１１０）が、ゼロ振幅と、あらかじめ定義された位相角と、あらかじめ定義された周波数と、所定の時間期間と、それらの組合せとを備えるグループから選択された特徴を有する前記１つ又は複数の正弦波搬送波の１つ又は複数のサイクルである、請求項１に記載の方法（１０００）。
【請求項５】
前記１つ又は複数のゼロ電圧サイクル（１１０）が、前記１つ又は複数のサイン波サイクル（１０６）の間にある、請求項４に記載の方法（１０００）。
【請求項６】
前記１つ又は複数のゼロ電圧交差点は、前記１つ又は複数の正弦波搬送波の位相角が０又はπの整数倍である点である、請求項１に記載の方法（１０００）。
【請求項７】
前記１つ又は複数の正弦波搬送波（１１２）が、所定の距離まで進むように構成されている、請求項１に記載の方法（１０００）。
【請求項８】
前記１つ又は複数の正弦波搬送波（１１２）の前記１つ又は複数の波サイクル（１０４）の各々の前記１つ又は複数の特性が、１つ又は複数の所定の振幅と、１つ又は複数の所定の周波数と、１つ又は複数の所定の位相角と、１つ又は複数の所定の時間期間と、それらの組合せとを備えるグループから選択される、請求項１に記載の方法（１０００）。
【請求項９】
前記１つ又は複数の変調信号が、１つ又は複数のアナログ信号と、１つ又は複数のデジタル信号と、それらの組合せとを備えるグループから選択される、請求項１に記載の方法（１０００）。
【請求項１０】
生成された前記１つ又は複数の正弦波搬送波（２１２）の前記１つ又は複数の波サイクル（１０４）の各々の前記１つ又は複数の特性が、前記１つ又は複数の所定の振幅であり、一定の周波数と一定の位相角とを有する、請求項８に記載の方法（１０００）。
【請求項１１】
生成された前記１つ又は複数の正弦波搬送波（２１２）の前記１つ又は複数の波サイクル（１０４）の各々が、可変の振幅を有する、請求項１０に記載の方法（１０００）。
【請求項１２】
生成された前記１つ又は複数の正弦波搬送波（４１２）の前記１つ又は複数の波サイクル（１０４）の各々の前記１つ又は複数の特性が、前記１つ又は複数の所定の周波数であり、一定の振幅と一定の位相角とを有する、請求項８に記載の方法（１０００）。
【請求項１３】
生成された前記１つ又は複数の正弦波搬送波（４１２）の前記１つ又は複数の波サイクル（１０４）の各々が、可変の周波数を有する、請求項１２に記載の方法（１０００）。
【請求項１４】
前記正弦波搬送波（１１２）が、正弦波搬送波の前記１つ又は複数の所定の周波数よりも高い周波数の信号を搬送するステップをさらに含む、請求項１に記載の方法（１０００）。
【請求項１５】
生成された前記１つ又は複数の正弦波搬送波（６１２）の前記１つ又は複数の波サイクル（１０４）の各々の前記１つ又は複数の特性が、前記１つ又は複数の所定の位相角と、前記１つ又は複数の所定の時間期間と、それらの組合せとを備えるグループから選択され、一定の振幅と一定の周波数とを有する、請求項８に記載の方法（１０００）。
【請求項１６】
前記１つ又は複数の正弦波搬送波（６１２）の前記１つ又は複数の波サイクルの位相角と時間期間とを有することが、所定の基準位相角に依存する、請求項１５に記載の方法（１０００）。
【請求項１７】
前記正弦波搬送波（６１２）の前記１つ又は複数の波サイクル（１０４）の各々の前記位相角と前記時間期間とが、変調信号の前記１つ又は複数の値を表し、前記１つ又は複数の基準位相角に対する前記位相角と前記時間期間とを有する、請求項１６に記載の方法（１０００）。
【請求項１８】
生成された前記１つ又は複数の正弦波搬送波（６１２）の前記１つ又は複数の波サイクル（１０４）が、可変の位相角を有する、請求項１７に記載の方法（１０００）。
【請求項１９】
信号の送信のためのシステム（１００）であって、前記システム（１００）が、
１つ又は複数の振幅と、１つ又は複数の周波数と、１つ又は複数の位相角と、それらの組合せとを備えるグループから選択された特徴を有する１つ又は複数の変調信号を受信するように構成された受信モジュール（１２０）と、
前記１つ又は複数の変調信号の１つ又は複数の値による１つ又は複数のゼロ電圧交差点において、所定の１つ又は複数の特性を有する１つ又は複数の波サイクル（１０４）を含む、１つ又は複数の正弦波搬送波を生成するように構成された生成モジュール（１４０）と
を備え、
前記１つ又は複数の波サイクル（１０４）が、１つ又は複数のサイン波サイクル（１０６）と、１つ又は複数のゼロ電圧サイクル（１１０）と、１つ又は複数の基準サイクルと、それらの組合せとを備えるグループから選択され、
前記１つ又は複数の波サイクル（１０４）の各々は、前記１つ又は複数の正弦波搬送波が、前記１つ又は複数のゼロ電圧交差点において開始し、あらかじめ定義された期間の後の連続する１つ又は複数のゼロ電圧交差点において終了するように構成された場合、達成され、
前記１つ又は複数の正弦波搬送波（１１２）の前記１つ又は複数の波サイクル（１０４）の各々の前記１つ又は複数の特性が、前記１つ又は複数のゼロ電圧交差点の各々における前記１つ又は複数の波サイクル（１０４）の各々の完了後にのみ、前記１つ又は複数の変調信号の１つ又は複数の値に比例して変わるように構成され、
前記１つ又は複数の正弦波搬送波（１１２）の前記１つ又は複数の波サイクル（１０４）の各々の前記１つ又は複数の特性が、変調信号の前記１つ又は複数の値を表し、
生成された前記１つ又は複数の正弦波搬送波（１１２）の各々が、純粋なサイン波特性を保持するように構成されている、
システム（１００）。
【請求項２０】
前記１つ又は複数のサイン波サイクル（１０６）が、半波サイクル（１０８）と、全波サイクル（１０７）と、それらの組合せとを備えるグループから選択される、請求項１９に記載のシステム（１００）。
【請求項２１】
生成された前記１つ又は複数の正弦波搬送波（１１２）の前記１つ又は複数のサイン波サイクル（１０６）が、前記１つ又は複数のサイン波サイクル（１０６）の各々について、純粋なサイン波関数を含む、請求項１９に記載のシステム（１００）。
【請求項２２】
前記１つ又は複数のゼロ電圧サイクル（１１０）が、ゼロ振幅と、あらかじめ定義された位相角と、あらかじめ定義された周波数と、所定の時間期間と、それらの組合せとを備えるグループから選択された特徴を有する前記１つ又は複数の正弦波搬送波（１１２）の１つ又は複数のサイクルである、請求項１９に記載のシステム（１００）。
【請求項２３】
前記１つ又は複数のゼロ電圧サイクル（１１０）が、前記１つ又は複数のサイン波サイクル（１０６）の間にある、請求項２２に記載のシステム（１００）。
【請求項２４】
前記１つ又は複数のゼロ電圧交差点は、前記１つ又は複数の正弦波搬送波の位相角が０又はπの整数倍である点である、請求項１９に記載のシステム（１００）。
【請求項２５】
前記１つ又は複数の正弦波搬送波（１１２）が、所定の距離まで進むように構成されている、請求項１９に記載のシステム（１００）。
【請求項２６】
前記１つ又は複数の正弦波搬送波の前記１つ又は複数の波サイクル（１０４）の各々の前記１つ又は複数の特性が、１つ又は複数の所定の振幅と、１つ又は複数の所定の周波数と、１つ又は複数の所定の位相角と、１つ又は複数の所定の時間期間と、それらの組合せとを備えるグループから選択される、請求項１９に記載のシステム（１００）。
【請求項２７】
前記１つ又は複数の変調信号（１０２）が、１つ又は複数のアナログ信号と、１つ又は複数のデジタル信号と、それらの組合せとを備えるグループから選択される、請求項１９に記載のシステム（１００）。
【請求項２８】
生成された前記１つ又は複数の正弦波搬送波（２１２）の前記１つ又は複数の波サイクル（１０４）の各々の前記１つ又は複数の特性が、前記１つ又は複数の所定の振幅であり、一定の周波数と一定の位相角とを有する、請求項２６に記載のシステム（１００）。
【請求項２９】
生成された前記１つ又は複数の正弦波搬送波（２１２）の前記１つ又は複数の波サイクル（１０４）の各々が、可変の振幅を有する、請求項２８に記載のシステム（１００）。
【請求項３０】
生成された前記１つ又は複数の正弦波搬送波（４１２）の前記１つ又は複数の波サイクル（１０４）の各々の前記１つ又は複数の特性が、前記１つ又は複数の所定の周波数であり、一定の振幅と一定の位相角とを有する、請求項２６に記載のシステム（１００）。
【請求項３１】
生成された前記１つ又は複数の正弦波搬送波（４１２）の前記１つ又は複数の波サイクル（１０４）の各々が、可変の周波数を有する、請求項３０に記載のシステム（１００）。
【請求項３２】
前記正弦波搬送波（１１２）が、正弦波搬送波の前記１つ又は複数の所定の周波数よりも高い周波数の信号を搬送するようにさらに構成されている、請求項１９に記載のシステム（１００）。
【請求項３３】
生成された前記１つ又は複数の正弦波搬送波（６１２）の前記１つ又は複数の波サイクル（１０４）の各々の前記１つ又は複数の特性が、前記１つ又は複数の所定の位相角と、１つ又は複数の所定の時間期間と、それらの組合せとを備えるグループから選択され、一定の振幅と一定の周波数とを有する、請求項２６に記載のシステム（１００）。
【請求項３４】
前記１つ又は複数の正弦波搬送波（６１２）の前記１つ又は複数の波サイクルの位相角と時間期間とを有することが、所定の基準位相角に依存する、請求項３３に記載のシステム（１００）。
【請求項３５】
前記正弦波搬送波（６１２）の前記１つ又は複数の波サイクル（１０４）の各々の前記位相角と前記時間期間とが、変調信号の前記１つ又は複数の値を表し、前記１つ又は複数の基準位相角に対する前記位相角と前記時間期間とを有する、請求項３４に記載のシステム（１００）。
【請求項３６】
生成された前記１つ又は複数の正弦波搬送波（６１２）の前記１つ又は複数の波サイクル（１０４）が、可変の位相角を有する、請求項３５に記載のシステム（１００）。
【請求項３７】
信号の受信のための方法（１１００）であって、前記方法が、
１つ又は複数の正弦波搬送波（１１２）を受信するステップ（１１０２）と、
前記１つ又は複数の正弦波搬送波（１１２）を最適化するステップ（１１０４）と、
前記１つ又は複数の正弦波搬送波（１１２）を処理するステップ（１１０６）と、
前記１つ又は複数の正弦波搬送波（１１２）から信号を復元するステップ（１１０８）と、
１つ又は複数の出力信号を提供するステップ（１１１０）と
を含む、方法（１１００）。
【請求項３８】
前記１つ又は複数の正弦波搬送波（１１２）を受信するステップが、前記１つ又は複数の正弦波搬送波（１１２）を受信し、増幅するステップと、１つ又は複数の搬送波周波数を選択するステップとを含む、請求項３７に記載の方法（１１００）。
【請求項３９】
前記１つ又は複数の正弦波搬送波（１１２）を最適化するステップが、前記受信された１つ又は複数の正弦波搬送波（１１２）を安定化するステップと、前記安定化された１つ又は複数の正弦波搬送波（１１２）をフィルタ処理するステップと、前記１つ又は複数の正弦波搬送波（１１２）から雑音及び干渉を除去するステップとを含む、請求項３７に記載の方法（１１００）。
【請求項４０】
前記１つ又は複数の正弦波搬送波（１１２）を処理するステップが、前記フィルタ処理された正弦波搬送波を増幅するステップと、利得を制御するステップと、情報を復調するステップとを含む、請求項３７に記載の方法（１１００）。
【請求項４１】
処理するステップが、ヘテロダイン・プロセスによって上側又は下側の中間周波数を生成するステップをさらに含む、請求項４０に記載の方法（１１００）。
【請求項４２】
処理するステップが、前記１つ又は複数の正弦波搬送波（１１２）を１つ又は複数のパルスに変換するステップをさらに含む、請求項４０に記載の方法（１１００）。
【請求項４３】
処理するステップが、ヘテロダイン・プロセスによって前記１つ又は複数の正弦波搬送波（１１２）を上側又は下側の中間周波数に変換するステップをさらに含む、請求項４２に記載の方法（１１００）。
【請求項４４】
前記１つ又は複数の正弦波搬送波（１１２）を処理するステップが、前記１つ又は複数の正弦波搬送波（１１２）の１つ又は複数の波サイクル（１０４）の各々の１つ又は複数の特性の値を決定するために、ゼロ電圧交差点において前記１つ又は複数の正弦波搬送波（１１２）の前記１つ又は複数の波サイクル（１０４）の各々の１つ又は複数の特性を分析するステップをさらに含む、請求項３７に記載の方法（１１００）。
【請求項４５】
前記１つ又は複数の正弦波搬送波（１１２）を処理するステップが、前記１つ又は複数の正弦波搬送波（１１２）の前記１つ又は複数の波サイクル（１０４）の各々の１つ又は複数の特性の値を決定するために、１つ又は複数のゼロ電圧交差点の間の前記１つ又は複数の正弦波搬送波（１１２）の前記１つ又は複数の波サイクル（１０４）の各々の１つ又は複数の特性のレベルを検出するステップをさらに含む、請求項３７に記載の方法（１１００）。
【請求項４６】
前記１つ又は複数の正弦波搬送波（１１２）から信号を復元するステップが、前記１つ又は複数の波サイクルから信号を復元するステップをさらに含む、請求項３７に記載の方法（１１００）。
【請求項４７】
前記１つ又は複数の出力信号を提供するステップが、１つ又は複数の出力信号を形成するために、前記復元された信号を提供するステップを含む、請求項３７に記載の方法（１１００）。
【請求項４８】
前記１つ又は複数の出力信号が、１つ又は複数のデジタル信号と、１つ又は複数のアナログ信号と、それらの組合せとを備えるグループから選択される、請求項３７に記載の方法（１１００）。
【請求項４９】
前記１つ又は複数の出力信号が、１つ又は複数の所定の出力を得るために前記１つ又は複数の出力信号を生成するためにさらに復号される、請求項３７に記載の方法（１１００）。
【請求項５０】
前記１つ又は複数の正弦波搬送波（１１２）が、１つ又は複数の所定の振幅と、１つ又は複数の所定の周波数と、１つ又は複数の所定の位相角と、１つ又は複数の所定の時間期間と、それらの組合せとを備えるグループから選択された、前記１つ又は複数の正弦波搬送波（１１２）の前記１つ又は複数の波サイクル（１０４）の各々の前記１つ又は複数の特性を有する、請求項３７に記載の方法（１１００）。
【請求項５１】
前記１つ又は複数の正弦波搬送波（１１２）から信号を復元するステップと、１つ又は複数の出力信号を形成するために、前記復元された信号を提供するステップとをさらに含む、請求項５０に記載の方法（１１００）。
【請求項５２】
生成された１つ又は複数の正弦波搬送波（１１２）の前記１つ又は複数の波サイクル（１０４）の各々の前記１つ又は複数の特性を有する前記１つ又は複数の正弦波搬送波（１１２）が、前記１つ又は複数の所定の振幅であり、一定の周波数と一定の位相角とを有する、請求項３７に記載の方法（１１００）。
【請求項５３】
前記１つ又は複数の正弦波搬送波（１１２）から信号を復元するステップと、１つ又は複数の出力信号を形成するために、前記復元された信号を提供するステップとをさらに含む、請求項５２に記載の方法（１１００）。
【請求項５４】
生成された１つ又は複数の正弦波搬送波（１１２）の前記１つ又は複数の波サイクル（１０４）の各々の前記１つ又は複数の特性を有する前記１つ又は複数の正弦波搬送波（１１２）が、前記１つ又は複数の所定の周波数であり、一定の振幅と一定の位相角とを有する、請求項３７に記載の方法（１１００）。
【請求項５５】
前記１つ又は複数の正弦波搬送波（１１２）から信号を復元するステップと、１つ又は複数の出力信号を形成するために、前記復元された信号を提供するステップとをさらに含む、請求項５４に記載の方法（１１００）。
【請求項５６】
生成された１つ又は複数の正弦波搬送波（１１２）の前記１つ又は複数の波サイクル（１０４）の各々の前記１つ又は複数の特性を有する前記１つ又は複数の正弦波搬送波（１１２）が、前記１つ又は複数の所定の位相角であり、一定の振幅と一定の周波数とを有する、請求項３７に記載の方法（１１００）。
【請求項５７】
前記１つ又は複数の正弦波搬送波（１１２）から信号を復元するステップと、１つ又は複数の出力信号を形成するために、前記復元された信号を提供するステップとをさらに含む、請求項５６に記載の方法（１１００）。
【請求項５８】
信号の受信のためのシステム（１１５０）であって、前記システム（１１５０）が、
１つ又は複数の正弦波搬送波（１１２）を受信するように構成されたフロント・エンド（１１５２）と、
前記１つ又は複数の正弦波搬送波（１１２）を最適化するように構成された安定化モジュール（１１５４）と、
前記１つ又は複数の正弦波搬送波（１１２）を処理するように構成された処理モジュール（１１５６）と、
前記１つ又は複数の正弦波搬送波からデータを復元するように構成された復元モジュール（１１５８）と、
出力信号を提供するように構成された出力ドライバ（１１６０）と
を備える、システム（１１５０）。
【請求項５９】
前記フロント・エンド（１１５２）が、前記１つ又は複数の正弦波搬送波（１１２）を受信するように構成され、前記１つ又は複数の正弦波搬送波（１１２）を受信し、増幅することと、１つ又は複数の搬送波周波数を選択することとを含む、請求項５８に記載のシステム（１１５０）。
【請求項６０】
前記安定化モジュール（１１５４）が、前記１つ又は複数の正弦波搬送波（１１２）を最適化するように構成され、前記受信された１つ又は複数の正弦波搬送波（１１２）を安定化することと、前記安定化された１つ又は複数の正弦波搬送波（１１２）をフィルタ処理することと、前記１つ又は複数の正弦波搬送波（１１２）から雑音及び干渉を除去することとを含む、請求項５８に記載のシステム（１１５０）。
【請求項６１】
前記処理モジュール（１１５６）が、前記フィルタ処理された正弦波搬送波を増幅することと、利得を制御することと、情報を復調することとを行うようにさらに構成されている、請求項５８に記載のシステム（１１５０）。
【請求項６２】
前記処理モジュール（１１５６）が、ヘテロダイン・プロセスによって上側又は下側の中間周波数を生成するようにさらに構成されている、請求項６１に記載のシステム（１１５０）。
【請求項６３】
前記処理モジュール（１１５６）が、前記１つ又は複数の正弦波搬送波（１１２）を１つ又は複数のパルスに変換するようにさらに構成されている、請求項６１に記載のシステム（１１５０）。
【請求項６４】
前記処理モジュール（１１５６）が、ヘテロダイン・プロセスによって前記１つ又は複数の正弦波搬送波（１１２）を上側又は下側の中間周波数に変換するようにさらに構成されている、請求項６３に記載のシステム（１１５０）。
【請求項６５】
前記処理モジュール（１１５６）が、前記１つ又は複数の正弦波搬送波（１１２）を処理するように構成され、前記１つ又は複数の正弦波搬送波（１１２）の１つ又は複数の波サイクル（１０４）の各々の１つ又は複数の特性の値を決定するために、ゼロ電圧交差点において前記１つ又は複数の正弦波搬送波（１１２）の前記１つ又は複数の波サイクル（１０４）の各々の１つ又は複数の特性を分析することをさらに含む、請求項５８に記載のシステム（１１５０）。
【請求項６６】
前記処理モジュール（１１５６）が、前記１つ又は複数の正弦波搬送波（１１２）を処理するように構成され、前記１つ又は複数の正弦波搬送波（１１２）の前記１つ又は複数の波サイクル（１０４）の各々の１つ又は複数の特性の値を決定するために、１つ又は複数のゼロ電圧交差点の間の前記１つ又は複数の正弦波搬送波（１１２）の前記１つ又は複数の波サイクル（１０４）の各々の１つ又は複数の特性のレベルを検出することをさらに含む、請求項５８に記載のシステム（１１５０）。
【請求項６７】
前記１つ又は複数の正弦波搬送波（１１２）から信号を復元するように構成された前記復元モジュール（１１５８）が、前記１つ又は複数の波サイクル（１０４）から信号を復元することをさらに含む、請求項５８に記載のシステム（１１５０）。
【請求項６８】
前記１つ又は複数の出力信号を提供するように構成された前記出力ドライバ（１１６０）が、１つ又は複数の出力信号を形成するために、前記復元された信号を提供することを含む、請求項５８に記載のシステム（１１５０）。
【請求項６９】
前記１つ又は複数の出力信号が、１つ又は複数のデジタル信号と、１つ又は複数のアナログ信号と、それらの組合せとを備えるグループから選択される、請求項５８に記載のシステム（１１５０）。
【請求項７０】
前記１つ又は複数の出力信号が、１つ又は複数の所定の出力を得るために前記１つ又は複数の出力信号を生成するためにさらに復号される、請求項５８に記載のシステム（１１５０）。
【請求項７１】
前記１つ又は複数の正弦波搬送波（１１２）が、１つ又は複数の所定の振幅と、１つ又は複数の所定の周波数と、１つ又は複数の所定の位相角と、１つ又は複数の所定の時間期間と、それらの組合せとを備えるグループから選択された、前記１つ又は複数の正弦波搬送波（１１２）の前記１つ又は複数の波サイクル（１０４）の各々の前記１つ又は複数の特性を有する、請求項５８に記載のシステム（１１５０）。
【請求項７２】
前記システム（１１５０）が、前記１つ又は複数の正弦波搬送波（１１２）から信号を復元することと、１つ又は複数の出力信号を形成するために、前記復元された信号を提供することとを行うようにさらに構成されている、請求項７１に記載のシステム（１１５０）。
【請求項７３】
前記１つ又は複数の正弦波搬送波（１１２）が、生成された１つ又は複数の正弦波搬送波（１１２）の前記１つ又は複数の波サイクル（１０４）の各々の前記１つ又は複数の特性を有し、前記１つ又は複数の所定の振幅であり、一定の周波数と一定の位相角とを有する、請求項５８に記載のシステム（１１５０）。
【請求項７４】
前記システム（１１５０）が、前記１つ又は複数の正弦波搬送波（１１２）から信号を復元することと、１つ又は複数の出力信号を形成するために、前記復元された信号を提供することとを行うようにさらに構成されている、請求項７３に記載のシステム（１１５０）。
【請求項７５】
前記１つ又は複数の正弦波搬送波（１１２）が、生成された１つ又は複数の正弦波搬送波（１１２）の前記１つ又は複数の波サイクル（１０４）の各々の前記１つ又は複数の特性を有し、前記１つ又は複数の所定の周波数であり、一定の振幅と一定の位相角とを有する、請求項５８に記載のシステム（１１５０）。
【請求項７６】
前記システム（１１５０）が、前記１つ又は複数の正弦波搬送波（１１２）から信号を復元することと、１つ又は複数の出力信号を形成するために、前記復元された信号を提供することとを行うようにさらに構成されている、請求項７５に記載のシステム（１１５０）。
【請求項７７】
前記１つ又は複数の正弦波搬送波（１１２）が、生成された１つ又は複数の正弦波搬送波（１１２）の前記１つ又は複数の波サイクル（１０４）の各々の前記１つ又は複数の特性を有し、前記１つ又は複数の所定の位相角であり、一定の振幅と一定の周波数とを有する、請求項５８に記載のシステム（１１５０）。
【請求項７８】
前記システム（１１５０）が、前記１つ又は複数の正弦波搬送波（１１２）から信号を復元することと、１つ又は複数の出力信号を形成するために、前記復元された信号を提供することとを行うようにさらに構成されている、請求項７７に記載のシステム（１１５０）。
【請求項７９】
請求項１から７８までに記載の機能性を実施するための装置。
【発明の詳細な説明】
【技術分野】
【０００１】
本発明は、一般に無線信号の送信に関し、より詳細には、側波帯を最小限に抑える無線信号の送信に関する。
【背景技術】
【０００２】
知られている変調装置及び変調プロセスは、側波帯中にすべての情報を含んでおり、最も高い信号周波数に比例する有限帯域幅を必要とすると考えられる。本技法は、振幅変調、周波数変調、位相変調、オン／オフ・キーイング及びこれらのプロセスの多くの組合せに広く適用可能である。すべての知られている変調プロセスの場合、最も高い信号周波数及び最も高いデータ・レートに比例して、より高い変調されたキャリア帯域幅を必要とする。ＲＦキャリアは、変調信号に従って、知られている基準から変更され得る特質を有する電磁波である。変調器は、キャリア信号と変調信号とが一緒になり、変調されたキャリアを作成するデバイスである。
【０００３】
変調プロセスは、振幅、位相、周波数などのような搬送波の特質を個々に又は組合せで改変することが知られている。そのようなプロセスは、変調された搬送波出力中に、すべての信号情報を搬送すると考えられる側波帯として生じる相互変調積を作り出す。これらの側波帯は、変調のタイプ、信号の品質、信頼度因子などを含む様々なファクタに応じて振幅と帯域幅とが変動する。
【０００４】
従来技術における側波帯は、概して、上側側波帯及び下側側波帯として知られるキャリアの両側にあり、すべての情報を搬送している。いくつかの変調システムは、帯域幅を節約するために１つの側波帯が完全に又は部分的に抑制されたキャリアを送信する。
【０００５】
大きいデータ及び広帯域信号を搬送するために２つ以上の搬送波を有する変調器が、知られている。変調信号は、コード化されるか、多重化されるか、圧縮されるか、暗号化されるか、又は処理された、多種多様な生の情報をもつボイス、ピクチャ、テキスト、データなどのデジタル・タイプ及び／又はアナログ・タイプのものであり得る。従来技術において知られている変調プロセス及びデバイスは、常に、復調器として知られる復調を有する。復調は、変調された搬送波から元の情報を導出するプロセスとして知られている。復調装置及びプロセスの効果は、常に、情報と搬送波とを分離する変調プロセスに対して厳密にコンプリメンタリーであり、復調器は、デコーダ、デマルチプレクサ、復元、暗号化解除、及び情報を元の形態で忠実に復元するための他のプロセスを有することになる。
【０００６】
従来技術の変調プロセスは、変調信号に従う帯域幅をもつスペクトルを消費するので、波を使用する情報の送信のために有限数の周波数のみを利用可能にする。限られた数の周波数のこの利用可能性は、政府がリソースを規制することにおいてもたらされた。規制はまた、この限られたリソースの競合しない及び公正な使用を保証する。商業及び公共使用のために利用可能な変調周波数の数において、要求が供給をはるかに上回り、したがって、一部に対してそれを拒否する。
【０００７】
上記の事実に鑑みて、当技術分野では、各無線周波数変調信号について、スペクトルの最小の帯域幅を消費しながら最大の情報を伝達するための、利用可能なスペクトルのより効率的な使用が必要である。無線周波数通信システムの様々なモードにおける様々な変調タイプを使用してスペクトル帯域幅を節約するためのプロセスの必要。
【発明の概要】
【発明が解決しようとする課題】
【０００８】
発明の目的
本発明の目的は、信号の送信のための純粋なサイン波を作り出すことである。
【０００９】
本発明の別の目的は、通信システムにおける帯域幅要件を低減することである。
【００１０】
本発明の別の目的は、変調中に作り出された側波帯を取り除くことである。
【課題を解決するための手段】
【００１１】
本発明は、様々な実施例によって以下で説明される。ただし、本発明は、多くの異なる形態で具現化され得、本明細書に記載される実施例に限定されるものと解釈されるべきではない。
【００１２】
本発明の第１の態様によれば、信号の送信のための方法が提供される。本方法は、１つ又は複数の振幅と、１つ又は複数の周波数と、１つ又は複数の位相角と、１つ又は複数の時間期間と、それらの組合せとを備えるグループから選択された特徴を有する１つ又は複数の変調信号を受信するステップと、１つ又は複数の変調信号の１つ又は複数の値による１つ又は複数のゼロ電圧交差点において、所定の１つ又は複数の特性を有する１つ又は複数の波サイクルを含む、１つ又は複数の正弦波搬送波を生成するステップとを含む。
【００１３】
１つ又は複数の波サイクルは、１つ又は複数のサイン波サイクルと、１つ又は複数のゼロ電圧サイクルと、１つ又は複数の基準サイクルと、それらの組合せとを備えるグループから選択される。
【００１４】
１つ又は複数の波サイクルは、１つ又は複数の正弦波搬送波が、１つ又は複数のゼロ電圧交差点において開始し、あらかじめ定義された期間の後の連続する１つ又は複数のゼロ電圧交差点において終了するように構成された場合、達成される。
【００１５】
１つ又は複数の正弦波搬送波の１つ又は複数の波サイクルの各々の１つ又は複数の特性は、１つ又は複数のゼロ電圧交差点の各々における１つ又は複数の波サイクルの各々の完了後にのみ、１つ又は複数の変調信号の１つ又は複数の値に比例して変わるように構成される。
【００１６】
１つ又は複数の正弦波搬送波の１つ又は複数の波サイクルの各々の１つ又は複数の特性は、変調信号の１つ又は複数の値を表す。
【００１７】
生成された１つ又は複数の正弦波搬送波の各々は、純粋なサイン波特性を保持するように構成される。
【００１８】
本発明の一実施例によれば、１つ又は複数のサイン波サイクルは、半波サイクルと、全波サイクルと、それらの組合せとを備えるグループから選択される。
【００１９】
本発明の一実施例によれば、生成された１つ又は複数の正弦波搬送波の１つ又は複数のサイン波サイクルは、１つ又は複数のサイン波サイクルの各々について、純粋なサイン波関数を含む。
【００２０】
本発明の一実施例によれば、１つ又は複数のゼロ電圧サイクルは、ゼロ振幅と、あらかじめ定義された位相角と、あらかじめ定義された周波数と、所定の時間期間と、それらの組合せとを備えるグループから選択された特徴を有する１つ又は複数の正弦波搬送波の１つ又は複数のサイクルである。
【００２１】
本発明の一実施例によれば、１つ又は複数のゼロ電圧サイクルは、１つ又は複数のサイン波サイクルの間にある。
【００２２】
本発明の一実施例によれば、１つ又は複数のゼロ電圧交差点は、１つ又は複数の正弦波搬送波の位相角が０又はπの整数倍である点である。
【００２３】
本発明の一実施例によれば、１つ又は複数の正弦波搬送波は、所定の距離まで進むように構成される。
【００２４】
本発明の一実施例によれば、１つ又は複数の正弦波搬送波の１つ又は複数の波サイクルの各々の１つ又は複数の特性は、１つ又は複数の所定の振幅と、１つ又は複数の所定の周波数と、１つ又は複数の所定の位相角と、１つ又は複数の所定の時間期間と、それらの組合せとを備えるグループから選択される。
【００２５】
本発明の一実施例によれば、１つ又は複数の変調信号は、１つ又は複数のアナログ信号と、１つ又は複数のデジタル信号と、それらの組合せとを備えるグループから選択される。
【００２６】
本発明の一実施例によれば、生成された１つ又は複数の正弦波搬送波の１つ又は複数の波サイクルの各々の１つ又は複数の特性は、１つ又は複数の所定の振幅であり、一定の周波数と一定の位相角とを有する。
【００２７】
本発明の一実施例によれば、生成された１つ又は複数の正弦波搬送波の１つ又は複数の波サイクルの各々は、可変の振幅を有している。
【００２８】
本発明の一実施例によれば、生成された１つ又は複数の正弦波搬送波の１つ又は複数の波サイクルの各々の１つ又は複数の特性は、１つ又は複数の所定の周波数であり、一定の振幅と一定の位相角とを有する。
【００２９】
本発明の一実施例によれば、生成された１つ又は複数の正弦波搬送波の１つ又は複数の波サイクルの各々は、可変の周波数を有している。
【００３０】
本発明の一実施例によれば、正弦波搬送波は、正弦波搬送波の１つ又は複数の所定の周波数よりも高い周波数の信号を搬送するステップをさらに含んでいる。
【００３１】
本発明の一実施例によれば、生成された１つ又は複数の正弦波搬送波の１つ又は複数の波サイクルの各々の１つ又は複数の特性は、１つ又は複数の所定の位相角と、１つ又は複数の所定の時間期間と、それらの組合せとを備えるグループから選択され、一定の振幅と一定の周波数とを有する。
【００３２】
本発明の一実施例によれば、１つ又は複数の正弦波搬送波の１つ又は複数の波サイクルの位相角と時間期間とを有することは、所定の基準位相角に依存する。
【００３３】
本発明の一実施例によれば、正弦波搬送波の１つ又は複数の波サイクルの各々の位相角と時間期間とは、変調信号の１つ又は複数の値を表し、１つ又は複数の基準位相角に対する位相角と時間期間とを有する。
【００３４】
本発明の一実施例によれば、生成された１つ又は複数の正弦波搬送波の１つ又は複数の波サイクルは、可変の位相角を有している。
【００３５】
本発明の一実施例によれば、信号の送信のためのシステムが提供される。本システムは、１つ又は複数の振幅と、１つ又は複数の周波数と、１つ又は複数の位相角と、それらの組合せとを備えるグループから選択された特徴を有する１つ又は複数の変調信号を受信するように構成された受信モジュールと、１つ又は複数の変調信号の１つ又は複数の値による１つ又は複数のゼロ電圧交差点において、所定の１つ又は複数の特性を有する１つ又は複数の波サイクルを含む、１つ又は複数の正弦波搬送波を生成するように構成された生成モジュールとを備える。
【００３６】
１つ又は複数の波サイクルは、１つ又は複数のサイン波サイクルと、１つ又は複数のゼロ電圧サイクルと、１つ又は複数の基準サイクルと、それらの組合せとを備えるグループから選択される。
【００３７】
１つ又は複数の波サイクルの各々は、１つ又は複数の正弦波搬送波が、１つ又は複数のゼロ電圧交差点において開始し、あらかじめ定義された期間の後の連続する１つ又は複数のゼロ電圧交差点において終了するように構成された場合、達成される。
【００３８】
１つ又は複数の正弦波搬送波の１つ又は複数の波サイクルの各々の１つ又は複数の特性は、１つ又は複数のゼロ電圧交差点の各々における１つ又は複数の波サイクルの各々の完了後にのみ、１つ又は複数の変調信号の１つ又は複数の値に比例して変わるように構成される。
【００３９】
１つ又は複数の正弦波搬送波の１つ又は複数の波サイクルの各々の１つ又は複数の特性は、変調信号の１つ又は複数の値を表す。
【００４０】
生成された１つ又は複数の正弦波搬送波の各々は、純粋なサイン波特性を保持するように構成される。
【００４１】
本発明の一実施例によれば、１つ又は複数のサイン波サイクルは、半波サイクルと、全波サイクルと、それらの組合せとを備えるグループから選択される。
【００４２】
本発明の一実施例によれば、生成された１つ又は複数の正弦波搬送波の１つ又は複数のサイン波サイクルは、１つ又は複数のサイン波サイクルの各々について、純粋なサイン波関数を含む。
【００４３】
本発明の一実施例によれば、１つ又は複数のゼロ電圧サイクルは、ゼロ振幅と、あらかじめ定義された位相角と、あらかじめ定義された周波数と、所定の時間期間と、それらの組合せとを備えるグループから選択された特徴を有する１つ又は複数の正弦波搬送波の１つ又は複数のサイクルである。
【００４４】
本発明の一実施例によれば、１つ又は複数のゼロ電圧サイクルは、１つ又は複数のサイン波サイクルの間にある。
【００４５】
本発明の一実施例によれば、１つ又は複数のゼロ電圧交差点は、１つ又は複数の正弦波搬送波の位相角が０又はπの整数倍である点である。
【００４６】
本発明の一実施例によれば、１つ又は複数の正弦波搬送波は、所定の距離まで進むように構成される。
【００４７】
本発明の一実施例によれば、１つ又は複数の正弦波搬送波の１つ又は複数の波サイクルの各々の１つ又は複数の特性は、１つ又は複数の所定の振幅と、１つ又は複数の所定の周波数と、１つ又は複数の所定の位相角と、１つ又は複数の所定の時間期間と、それらの組合せとを備えるグループから選択される。
【００４８】
本発明の一実施例によれば、１つ又は複数の変調信号は、１つ又は複数のアナログ信号と、１つ又は複数のデジタル信号と、それらの組合せとを備えるグループから選択される。
【００４９】
本発明の一実施例によれば、生成された１つ又は複数の正弦波搬送波の１つ又は複数の波サイクルの各々の１つ又は複数の特性は、１つ又は複数の所定の振幅であり、一定の周波数と一定の位相角とを有する。
【００５０】
本発明の一実施例によれば、生成された１つ又は複数の正弦波搬送波の１つ又は複数の波サイクルの各々は、可変の振幅を有している。
【００５１】
本発明の一実施例によれば、生成された１つ又は複数の正弦波搬送波の１つ又は複数の波サイクルの各々の１つ又は複数の特性は、１つ又は複数の所定の周波数であり、一定の振幅と一定の位相角とを有する。
【００５２】
本発明の一実施例によれば、生成された１つ又は複数の正弦波搬送波の１つ又は複数の波サイクルの各々は、可変の周波数を有している。
【００５３】
本発明の一実施例によれば、正弦波搬送波は、正弦波搬送波の１つ又は複数の所定の周波数よりも高い周波数の信号を搬送するようにさらに構成される。
【００５４】
本発明の一実施例によれば、生成された１つ又は複数の正弦波搬送波の１つ又は複数の波サイクルの各々の１つ又は複数の特性は、１つ又は複数の所定の位相角と、１つ又は複数の所定の時間期間と、それらの組合せとを備えるグループから選択され、一定の振幅と一定の周波数とを有する。
【００５５】
本発明の一実施例によれば、１つ又は複数の正弦波搬送波の１つ又は複数の波サイクルの位相角と時間期間とを有することは、所定の基準位相角に依存する。
【００５６】
本発明の一実施例によれば、正弦波搬送波の１つ又は複数の波サイクルの各々の位相角と時間期間とは、変調信号の１つ又は複数の値を表し、１つ又は複数の基準位相角に対する位相角と時間期間とを有する。
【００５７】
本発明の一実施例によれば、生成された１つ又は複数の正弦波搬送波の１つ又は複数の波サイクルは、可変の位相角を有する。
【００５８】
本発明の第２の態様によれば、信号の受信のための方法が提供される。本方法は、１つ又は複数の正弦波搬送波を受信するステップと、１つ又は複数の正弦波搬送波を最適化するステップと、１つ又は複数の正弦波搬送波を処理するステップと、１つ又は複数の正弦波搬送波から信号を復元するステップと、１つ又は複数の出力信号を提供するステップとを含む。
【００５９】
本発明の一実施例によれば、１つ又は複数の正弦波搬送波を受信するステップは、１つ又は複数の正弦波搬送波を受信し、増幅するステップと、１つ又は複数の搬送波周波数を選択するステップとを含む。
【００６０】
本発明の一実施例によれば、１つ又は複数の正弦波搬送波を最適化するステップは、受信された１つ又は複数の正弦波搬送波を安定化するステップと、安定化された１つ又は複数の正弦波搬送波をフィルタ処理するステップと、１つ又は複数の正弦波搬送波から雑音及び干渉を除去するステップとを含む。
【００６１】
本発明の一実施例によれば、１つ又は複数の正弦波搬送波を処理するステップは、フィルタ処理された正弦波搬送波を増幅するステップと、利得を制御するステップと、信号／情報を復調するステップとを含む。
【００６２】
本発明の一実施例によれば、処理するステップは、ヘテロダイン・プロセスによって上側又は下側の中間周波数を生成するステップをさらに含む。
【００６３】
本発明の一実施例によれば、処理するステップは、１つ又は複数の正弦波搬送波を１つ又は複数のパルスに変換するステップをさらに含む。
【００６４】
本発明の一実施例によれば、処理するステップは、ヘテロダイン・プロセスによって１つ又は複数の正弦波搬送波を上側又は下側の中間周波数に変換するステップをさらに含む。
【００６５】
本発明の一実施例によれば、１つ又は複数の正弦波搬送波を処理するステップは、１つ又は複数の正弦波搬送波の１つ又は複数の波サイクルの各々の１つ又は複数の特性の値を決定するために、ゼロ電圧交差点において１つ又は複数の正弦波搬送波の１つ又は複数の波サイクルの各々の１つ又は複数の特性を分析するステップをさらに含む。
【００６６】
本発明の一実施例によれば、１つ又は複数の正弦波搬送波を処理するステップは、１つ又は複数の正弦波搬送波の１つ又は複数の波サイクルの各々の１つ又は複数の特性の値を決定するために、１つ又は複数のゼロ電圧交差点の間の１つ又は複数の正弦波搬送波の１つ又は複数の波サイクルの各々の１つ又は複数の特性のレベルを検出するステップをさらに含む。
【００６７】
本発明の一実施例によれば、１つ又は複数の正弦波搬送波から信号を復元するステップは、１つ又は複数の波サイクルから信号を復元するステップをさらに含む。
【００６８】
本発明の一実施例によれば、１つ又は複数の出力信号を提供するステップは、１つ又は複数の出力信号を形成するために、復元された信号を提供するステップを含む。
【００６９】
本発明の一実施例によれば、１つ又は複数の出力信号は、１つ又は複数のデジタル信号と、１つ又は複数のアナログ信号と、それらの組合せとを備えるグループから選択される。
【００７０】
本発明の一実施例によれば、１つ又は複数の出力信号は、１つ又は複数の所定の出力を得るために１つ又は複数の出力信号を生成するためにさらに復号される。
【００７１】
本発明の一実施例によれば、１つ又は複数の所定の振幅と、１つ又は複数の所定の周波数と、１つ又は複数の所定の位相角と、１つ又は複数の所定の時間期間と、それらの組合せとを備えるグループから選択された、１つ又は複数の正弦波搬送波の１つ又は複数の波サイクルの各々の１つ又は複数の特性を有する１つ又は複数の正弦波搬送波から信号を復元するステップ。
【００７２】
本発明の一実施例によれば、１つ又は複数の正弦波搬送波から信号を復元するステップ、及び１つ又は複数の出力信号を形成するために、復元された信号を提供するステップ。
【００７３】
本発明の一実施例によれば、生成された１つ又は複数の正弦波搬送波の１つ又は複数の波サイクルの各々の１つ又は複数の特性を有する１つ又は複数の正弦波搬送波は、１つ又は複数の所定の振幅であり、一定の周波数と一定の位相角とを有する。
【００７４】
本発明の一実施例によれば、１つ又は複数の正弦波搬送波から信号を復元するステップ、及び１つ又は複数の出力信号を形成するために、復元された信号を提供するステップ。
【００７５】
本発明の一実施例によれば、生成された１つ又は複数の正弦波搬送波の１つ又は複数の波サイクルの各々の１つ又は複数の特性を有する１つ又は複数の正弦波搬送波は、１つ又は複数の所定の周波数であり、一定の振幅と一定の位相角とを有する。
【００７６】
本発明の一実施例によれば、１つ又は複数の正弦波搬送波から信号を復元するステップ、及び１つ又は複数の出力信号を形成するために、復元された信号を提供するステップ。
【００７７】
本発明の一実施例によれば、生成された１つ又は複数の正弦波搬送波の１つ又は複数の波サイクルの各々の１つ又は複数の特性を有する１つ又は複数の正弦波搬送波は、１つ又は複数の所定の位相角であり、一定の振幅と一定の周波数とを有する。
【００７８】
本発明の一実施例によれば、１つ又は複数の正弦波搬送波から信号を復元するステップ、及び１つ又は複数の出力信号を形成するために、復元された信号を提供するステップ。
【００７９】
本発明の一実施例によれば、信号の受信のためのシステムが提供され、本システムは、１つ又は複数の正弦波搬送波を受信するように構成されたフロント・エンドと、１つ又は複数の正弦波搬送波を最適化するように構成された安定化モジュールと、１つ又は複数の正弦波搬送波を処理するように構成された処理モジュールと、１つ又は複数の正弦波搬送波からデータを復元するように構成された復元モジュールと、出力信号を提供するように構成された出力ドライバとを備える。
【００８０】
本発明の一実施例によれば、フロント・エンドは、１つ又は複数の正弦波搬送波を受信するように構成され、１つ又は複数の正弦波搬送波を受信し、増幅することと、１つ又は複数の搬送波周波数を選択することとを含む。
【００８１】
本発明の一実施例によれば、安定化モジュールは、１つ又は複数の正弦波搬送波を最適化するように構成され、受信された１つ又は複数の正弦波搬送波を安定化することと、安定化された１つ又は複数の正弦波搬送波をフィルタ処理することと、１つ又は複数の正弦波搬送波から雑音及び干渉を除去することとを含む。
【００８２】
本発明の一実施例によれば、処理モジュールは、フィルタ処理された正弦波搬送波を増幅することと、利得を制御することと、信号／情報を復調することとを行うようにさらに構成される。
【００８３】
本発明の一実施例によれば、処理モジュールは、ヘテロダイン・プロセスによって上側又は下側の中間周波数を生成するようにさらに構成される。
【００８４】
本発明の一実施例によれば、処理モジュールは、１つ又は複数の正弦波搬送波を１つ又は複数のパルスに変換するようにさらに構成される。
【００８５】
本発明の一実施例によれば、処理モジュールは、ヘテロダイン・プロセスによって１つ又は複数の正弦波搬送波を上側又は下側の中間周波数に変換するようにさらに構成される。
【００８６】
本発明の一実施例によれば、処理モジュールは、１つ又は複数の正弦波搬送波を処理するように構成され、１つ又は複数の正弦波搬送波の１つ又は複数の波サイクルの各々の１つ又は複数の特性の値を決定するために、ゼロ電圧交差点において１つ又は複数の正弦波搬送波の１つ又は複数の波サイクルの各々の１つ又は複数の特性を分析することをさらに含む。
【００８７】
本発明の一実施例によれば、処理モジュールは、１つ又は複数の正弦波搬送波を処理するように構成され、１つ又は複数の正弦波搬送波の１つ又は複数の波サイクルの各々の１つ又は複数の特性の値を決定するために、１つ又は複数のゼロ電圧交差点の間の１つ又は複数の正弦波搬送波の１つ又は複数の波サイクルの各々の１つ又は複数の特性のレベルを検出することをさらに含む。
【００８８】
本発明の一実施例によれば、１つ又は複数の正弦波搬送波から信号を復元するように構成された復元モジュールは、１つ又は複数の波サイクルから信号を復元することをさらに含む。
【００８９】
本発明の一実施例によれば、１つ又は複数の出力信号を提供するように構成された出力ドライバは、１つ又は複数の出力信号を形成するために、復元された信号を提供することを含む。
【００９０】
本発明の一実施例によれば、１つ又は複数の出力信号は、１つ又は複数のデジタル信号と、１つ又は複数のアナログ信号と、それらの組合せとを備えるグループから選択される。
【００９１】
本発明の一実施例によれば、１つ又は複数の出力信号は、１つ又は複数の所定の出力を得るために１つ又は複数の出力信号を生成するためにさらに復号される。
【００９２】
本発明の一実施例によれば、１つ又は複数の正弦波搬送波は、１つ又は複数の所定の振幅と、１つ又は複数の所定の周波数と、１つ又は複数の所定の位相角と、１つ又は複数の所定の時間期間と、それらの組合せとを備えるグループから選択された、１つ又は複数の正弦波搬送波の１つ又は複数の波サイクルの各々の１つ又は複数の特性を有する。
【００９３】
本発明の一実施例によれば、本システムは、１つ又は複数の正弦波搬送波から信号を復元することと、１つ又は複数の出力信号を形成するために、復元された信号を提供することとを行うようにさらに構成され得る。
【００９４】
本発明の一実施例によれば、１つ又は複数の正弦波搬送波は、生成された１つ又は複数の正弦波搬送波の１つ又は複数の波サイクルの各々の１つ又は複数の特性を有し、１つ又は複数の所定の振幅であり、一定の周波数と一定の位相角とを有する。
【００９５】
本発明の一実施例によれば、本システムは、１つ又は複数の正弦波搬送波から信号を復元することと、１つ又は複数の出力信号を形成するために、復元された信号を提供することとを行うようにさらに構成され得る。
【００９６】
本発明の一実施例によれば、１つ又は複数の正弦波搬送波は、生成された１つ又は複数の正弦波搬送波の１つ又は複数の波サイクルの各々の１つ又は複数の特性を有し、１つ又は複数の所定の周波数であり、一定の振幅と一定の位相角とを有する。
【００９７】
本発明の一実施例によれば、本システムは、１つ又は複数の正弦波搬送波から信号を復元することと、１つ又は複数の出力信号を形成するために、復元された信号を提供することとを行うようにさらに構成され得る。
【００９８】
本発明の一実施例によれば、１つ又は複数の正弦波搬送波は、生成された１つ又は複数の正弦波搬送波の１つ又は複数の波サイクルの各々の１つ又は複数の特性を有し、１つ又は複数の所定の位相角であり、一定の振幅と一定の周波数とを有する。
【００９９】
本発明の一実施例によれば、本システムは、１つ又は複数の正弦波搬送波から信号を復元することと、１つ又は複数の出力信号を形成するために、復元された信号を提供することとを行うようにさらに構成され得る。
【０１００】
本発明の第３の態様によれば、請求項１から７９までに記載の機能性を実施するための装置が提供される。
【０１０１】
本発明の上記で具陳された特徴が詳細に理解され得るように、添付の図面にその一部が示される実施例を参照することによって、上記で手短に要約された本発明のより具体的な説明が得られ得る。ただし、添付の図面は、本発明の典型的な実施例のみを示し、したがって、本発明の範囲を限定するものと見なされるべきではなく、本発明は他の等しく有効な実施例に通じ得ることに留意されたい。
【０１０２】
本発明のこれら及び他の特徴、利益及び利点は、同様の参照番号が図にわたって同様の構造を指す、以下のテキスト図を参照することによって明らかになるであろう。
【図面の簡単な説明】
【０１０３】
【図１】本発明の一実施例による、変調信号を受信し、正弦波搬送波を生成するためのシステムを示す図である。
【図２】本発明の一実施例による、正弦波搬送波を信号に変換するために正弦波搬送波を受信するためのシステムを示す図である。
【図３】本発明の一実施例による、デジタル変調信号を受信し、正弦波搬送波を生成するためのシステムを示す図である。
【図４】本発明の一実施例による、デジタル変調信号を受信するためのデジタル信号受信モジュールを示す図である。
【図５】本発明の一実施例による、デジタル変調信号から正弦波搬送波を生成するためのデジタル搬送波モジュールを示す図である。
【図６】本発明の一実施例による、得られた波形生成を示す図である。
【図７】本発明の一実施例による、アナログ変調信号を受信し、アナログ変調信号から正弦波搬送波を生成するためのシステムを示す図である。
【図８】本発明の一実施例による、アナログ変調信号を受信するためのアナログ信号受信モジュールを示す図である。
【図９】本発明の一実施例による、アナログ変調信号から正弦波搬送波を生成するアナログ搬送波モジュールを示す図である。
【図１０】本発明の一実施例による、正弦波搬送波をデジタル信号に変換するために正弦波搬送波を受信するためのシステム内のデバイスの構成を示す図である。
【図１１】本発明の一実施例による、得られた波形生成を示す図である。
【図１２】本発明の一実施例による、正弦波搬送波をアナログ信号に変換するために正弦波搬送波を受信するためのシステム内のデバイスの構成を示す図である。
【図１３】本発明の一実施例による、デジタル変調信号を受信し、正弦波搬送波を生成するためのシステムを示す図である。
【図１４】本発明の一実施例による、デジタル変調信号を受信するためのデジタル信号受信モジュールを示す図である。
【図１５】本発明の一実施例による、デジタル変調信号から正弦波搬送波を生成するためのデジタル搬送波モジュールを示す図である。
【図１６】本発明の一実施例による、得られた波形生成を示す図である。
【図１７】本発明の一実施例による、アナログ変調信号を受信し、アナログ変調信号から正弦波搬送波を生成するためのシステムを示す図である。
【図１８】本発明の一実施例による、アナログ変調信号を受信するためのアナログ信号受信モジュールを示す図である。
【図１９】本発明の一実施例による、アナログ変調信号から正弦波搬送波を生成するアナログ搬送波モジュールを示す図である。
【図２０】本発明の一実施例による、得られた波形生成を示す図である。
【図２１】本発明の一実施例による、得られた波形生成を示す図である。
【図２２】本発明の一実施例による、正弦波搬送波をデジタル信号に変換するために正弦波搬送波を受信するためのシステム内のデバイスの構成を示す図である。
【図２３】本発明の一実施例による、正弦波搬送波をアナログ信号に変換するために正弦波搬送波を受信するためのシステム内のデバイスの構成を示す図である。
【図２４】本発明の一実施例による、デジタル変調信号を受信し、正弦波搬送波を生成するためのシステムを示す図である。
【図２５】本発明の一実施例による、デジタル変調信号を受信するためのデジタル信号受信モジュールを示す図である。
【図２６】本発明の一実施例による、デジタル変調信号から正弦波搬送波を生成するためのデジタル搬送波モジュールを示す図である。
【図２７】本発明の一実施例による、得られた波形生成を示す図である。
【図２８】本発明の一実施例による、アナログ変調信号を受信し、アナログ変調信号から正弦波搬送波を生成するためのシステムを示す図である。
【図２９】本発明の一実施例による、アナログ変調信号を受信するためのアナログ信号受信モジュールを示す図である。
【図３０】本発明の一実施例による、アナログ変調信号から正弦波搬送波を生成するアナログ搬送波モジュールを示す図である。
【図３１】本発明の一実施例による、得られた波形生成を示す図である。
【図３２】本発明の一実施例による、正弦波搬送波をデジタル信号に変換するために正弦波搬送波を受信するためのシステム内のデバイスの構成を示す図である。
【図３３】本発明の一実施例による、正弦波搬送波をアナログ信号に変換するために正弦波搬送波を受信するためのシステム内のデバイスの構成を示す図である。
【図３４】本発明の一実施例による、正弦波搬送波を生成するためのシステム内のデバイスの構成を示す図である。
【図３５】本発明の一実施例による、正弦波搬送波を受信するためのシステム内のデバイスの構成を示す図である。
【図３６】本発明の一実施例による、変調信号を受信し、正弦波搬送波を生成する方法を示す図である。
【図３７】本発明の一実施例による、正弦波搬送波を信号に変換するために正弦波搬送波を受信する方法を示す図である。
【発明を実施するための形態】
【０１０４】
本発明は、実施例及び例示的な図面を使用して実例として本明細書で説明されるが、当業者は、本発明が、説明される１つ又は複数の図面の実施例に限定されないこと、及び様々な構成要素のスケールを表すものではないことを認識されよう。さらに、本発明の一部を形成し得るいくつかの構成要素は、説明しやすいように、いくつかの図において示されていないことがあり、そのような省略は、概説される実施例をいかなる形でも限定しない。それらの図面及びその詳細な説明は、本発明を開示される特定の形態に限定するものではなく、反対に、本発明は、添付の特許請求の範囲によって定義される本発明の範囲内に入るすべての修正、等価物、及び代替をカバーするものであることを理解されたい。この説明全体にわたって使用される「し得る（ｍａｙ）」という単語は、強制的な意味（すなわち、しなければならない（ｍｕｓｔ）という意味）ではなく、許容的な意味（すなわち、可能性を有するという意味）において使用される。さらに、別段に言及されない限り、「１つの（ａ）」又は「１つの（ａｎ）」という単語は、「少なくとも１つの」を意味し、「複数の（ｐｌｕｒａｌｉｔｙ）」という単語は、「１つ又は複数の」を意味する。本明細書で使用される用語及び語法は、説明のために使用されるものに過ぎず、範囲を限定するものと解釈されるべきではない。「含む（ｉｎｃｌｕｄｉｎｇ）」、「備える、含む（ｃｏｍｐｒｉｓｉｎｇ）」、「有する（ｈａｖｉｎｇ）」、「含んでいる（ｃｏｎｔａｉｎｉｎｇ）」、又は「伴う（ｉｎｖｏｌｖｉｎｇ）」、及びそれらの変形形態などの言語は、広義であり、その後に列挙される主題、等価物、及び具陳されない追加の主題を包含するものであり、他の付加物、構成要素、整数又はステップを除外するものではない。同様に、「備える、含む」という用語は、適用可能な法的目的で、「含む」又は「含んでいる」という用語と同義と見なされる。文書、行為、材料、デバイス、論文などのいかなる説明も、単に本発明についてのコンテキストを提供する目的で、本明細書に含まれる。これらの事項のいずれか又はすべてが、従来技術の基礎の一部を形成すること、又は本発明に関連する分野における共通の一般的な知識であったことは、示唆されず又は表されない。
【０１０５】
本開示では、組成又は要素又は要素のグループは、「備える、含む」という移行句が先行するときはいつでも、組成、要素又は要素のグループの具陳に先行する「からなる（ｃｏｎｓｉｓｔｉｎｇ  ｏｆ）」、「なる（ｃｏｎｓｉｓｔｉｎｇ）」、「からなるグループから選択された（ｓｅｌｅｃｔｅｄ  ｆｒｏｍ  ｔｈｅ  ｇｒｏｕｐ  ｏｆ  ｃｏｎｓｉｓｔｉｎｇ  ｏｆ）」、「含む」、又は「である（ｉｓ）」という移行句をもつ同じ組成、要素又は要素のグループをも企図し、その逆も同様であることを理解されたい。
【０１０６】
本発明は、添付の図面を参照しながら様々な実施例によって以下で説明され、添付の図面において使用される参照番号は、説明全体を通して、同様の要素に対応する。ただし、本発明は、多くの異なる形態で具現化され得、本明細書に記載される実施例に限定されるものと解釈されるべきではない。むしろ、実施例は、本発明が周到で完全になり、本発明の範囲を当業者に十分に伝えるために提供される。以下の詳細な説明では、数値及び範囲が、説明される実装形態の様々な態様のために提供される。これらの値及び範囲は、実例としてのみ扱われるべきであり、特許請求の範囲を限定するものではない。さらに、いくつかの材料が、実装形態の様々なファセットに好適なものとして識別される。これらの材料は、例示的なものとして扱われるべきであり、本発明の範囲を限定するものではない。
【０１０７】
図１は、本発明の一実施例による、変調信号（１０２）を受信し、正弦波搬送波（１１２）を生成するためのシステム（１００）を示し、１つ又は複数の変調信号は、限定はしないが、１つ又は複数のアナログ信号と、１つ又は複数のデジタル信号と、それらの組合せとを備えるグループから選択され得る。１つ又は複数の変調信号は、受信モジュール（１２０）によって受信される。受信モジュール（１２０）は、限定はしないが、デジタル信号受信モジュール又はアナログ信号受信モジュール又はそれらの組合せであり得る。受信モジュール（１２０）は、搬送波モジュール（１４０）に接続され得る。搬送波モジュール（１４０）は、限定はしないが、デジタル搬送波モジュール又はアナログ搬送波モジュール又はそれらの組合せであり得る。搬送波モジュール（１４０）は、正弦波搬送波（１１２）を生成するように構成される。正弦波搬送波（１１２）は、限定はしないが、１つ又は複数の波サイクル（１０４）（１０４）を含み得る。１つ又は複数の波サイクル（１０４）（１０４）は、限定はしないが、１つ又は複数のサイン波サイクル（１０６）（１０４）と、１つ又は複数のゼロ電圧サイクル（１１０）とを備えるグループから選択され得る。１つ又は複数のサイン波サイクル（１０６）は、限定はしないが、半波サイクル（１０８）又は全波サイクル（１０７）であり得る。１つ又は複数のサイン波サイクル（１０６）は、限定はしないが、ゼロ電圧交差点において開始し、連続するゼロ電圧交差点において終わるように構成される。１つ又は複数のゼロ電圧サイクル（１１０）は、限定はしないが、ゼロ振幅と、所定の位相角と、所定の周波数と、所定の時間期間と、それらの組合せとを備えるグループから選択された特徴を有し得る。
【０１０８】
送信システムは、１つ又は複数のモジュールを含み得、限定はしないが、特定の実装形態に適したエンコーダ、デコーダ、暗号化、ＤＳＰ、圧縮、イコライザ、エンファシス、リミッタ、圧縮器、マルチプレクサ、アップ／ダウン変換器、シンクロナイザ、ＡＤＣ、ＤＡＣ、サンプル・アンド・ホールド、乗算器、分割器、遅延、補償器、コンバイナ、分割器、ＤＤＳ、メモリ・モジュール、任意の波形生成器、スイッチング、フィルタ処理、周波数合成、関数生成器、変調器、補間器、有限インパルス応答処理、インテグレータ、発振器、乗算器、順方向補正、事前補正、信号再構成器などから選択され得る。
【０１０９】
たとえば
あらかじめ定義された周波数範囲は、限定はしないが、ＥＬＦ、ＶＬＦ、ＬＦ、ＭＦ、ＨＦ、ＶＨＦ、ＵＨＦ、ＳＨＦ、ＥＨＦ帯域（３ｈｚ〜３００Ｇｈｚ）を含むべきである。振幅範囲は、限定はしないが、０ボルト〜１×１０９ボルトを含むべきである。位相範囲は、限定はしないが、０〜ｎπ位相角を含むべきである。時間期間範囲は、限定はしないが、０秒〜１×１０６秒を含むべきである。
【０１１０】
図２は、本発明の一実施例による、正弦波搬送波を受信し、正弦波搬送波を信号に変換するためのシステム（１１５０）を示す。受信システムは、正弦波搬送波を受信するためのフロント・エンド（１１５２）を備える。フロント・エンド（１１５２）は、増幅及び周波数選択を提供するように構成された安定化モジュール（１１５４）に接続される。安定化モジュール（１１５４）は、利得制御と別のパラメータ制御とを提供するように構成された処理モジュール（１１５６）に接続される。処理モジュール（１１５６）は、個別に及び集合的に各サイクルから信号を検出するように構成された信号復元モジュール（１１５８）に接続される。復元モジュール（１１５８）は、出力ドライバ（１１６０）に接続される。
【０１１１】
システム（１００）は、１つ又は複数のモジュールを含み得、限定はしないが、特定の実装形態に適したエンコーダ、デコーダ、解読、ＤＳＰ、圧縮解除、デイコライザ、デエンファシス、デリミタ、圧縮解除器、デマルチプレクサ、アップ／ダウン変換器、シンクロナイザ、ＡＤＣ、ＤＡＣ、乗算器、分割器、遅延、補償器、コンバイナ、メモリ・モジュール、任意の波形生成器、スイッチング、フィルタ処理、周波数合成、復調器、補間器、有限インパルス応答処理、ディスインテグレータ、発振器、信号再構成器などから選択され得る。
【０１１２】
本発明は以下の様式で動作する。
【０１１３】
図３６は、本発明の一実施例による、変調信号を受信し、正弦波搬送波を生成する方法（１０００）を示す。本方法は、ステップ１０２０において始まり、受信モジュール（１２０）が１つ又は複数の変調信号（１０２）を受信する。１つ又は複数の変調信号（１０２）は、１つ又は複数のアナログ信号と、１つ又は複数のデジタル信号と、それらの組合せとを備えるグループから選択され得る。１つ又は複数の変調信号（１０２）は、１つ又は複数の振幅と、１つ又は複数の周波数と、１つ又は複数の時間期間と、１つ又は複数の位相角と、それらの組合せとを備えるグループから選択された特徴を有し得る。受信モジュール（１２０）は、限定はしないが、デジタル信号受信モジュール（１２０）又はアナログ信号受信モジュール（１２０）又はそれらの組合せであり得る。
【０１１４】
ステップ１０４０において、正弦波搬送波（１１２）が、搬送波モジュール（１４０）によって生成される。生成された正弦波搬送波（１１２）は、１つ又は複数の変調信号（１０２）の１つ又は複数の値による１つ又は複数のゼロ電圧交差点において、所定の１つ又は複数の特性を有する１つ又は複数の波サイクル（１０４）を含む。１つ又は複数の生成された波サイクル（１０４）は、限定はしないが、ゼロ電圧交差点において開始し、限定はしないが、連続するゼロ電圧交差点において終わり、一定のサイン波特性をもつサイクルを完了するように構成される。１つ又は複数の正弦波搬送波（１１２）の１つ又は複数の波サイクル（１０４）の各々の１つ又は複数の特性は、限定はしないが、１つ又は複数の所定の振幅と、１つ又は複数の所定の周波数と、１つ又は複数の所定の位相角と、１つ又は複数の所定の時間期間と、それらの組合せとを備えるグループから選択され得る。搬送波モジュール（１４０）は、限定はしないが、デジタル搬送波モジュール（１４０）又はアナログ搬送波モジュール（１４０）であり得る。
【０１１５】
受信機方法
本発明の一実施例による、正弦波搬送波を信号に変換するために正弦波搬送波を受信する方法１１００が、図３７に示されている。方法１１００は、搬送波モジュールによって作り出された正弦波搬送波が、次いで、正弦波搬送波を信号に変換するために正弦波搬送波を受信するためのシステムによって受信されるプロセスを詳述する。方法１１００は、ステップ１１０２において始まり、正弦波搬送波がフロント・エンド（１１５２）によって受信される。フロント・エンド（１１５２）は、１つ又は複数の正弦波搬送波を受信するように構成され、１つ又は複数の正弦波搬送波を受信し、増幅することと、１つ又は複数の搬送波周波数を選択することとを含む。フロント・エンド（１１５２）からの得られた正弦波搬送波は、安定化モジュール（１１５４）によって受信される。ステップ１１０４において、安定化モジュール（１１５４）は、１つ又は複数の正弦波搬送波を最適化し、それは、限定はしないが、受信された１つ又は複数の正弦波搬送波を安定化することと、安定化された１つ又は複数の正弦波搬送波をフィルタ処理し、増幅することと、１つ又は複数の正弦波搬送波から雑音及び干渉を除去することとを含み得る。最適化された正弦波搬送波は、処理モジュール（１１５６）によって受信され得る。ステップ１１０６において、１つ又は複数の正弦波搬送波は、処理モジュール（１１５６）によって処理される。処理モジュール（１１５６）は、フィルタ処理された正弦波搬送波を増幅し、利得を制御及び最適化するようにさらに構成され、ヘテロダイン・プロセスによって上側又は下側の中間周波数を生成し得る。
【０１１６】
ここで、処理モジュール（１１５６）は、フィルタ処理された正弦波搬送波を増幅することと、利得を制御することと、情報を復調することとを行うように構成され、処理モジュール（１１５６）は、１つ又は複数の正弦波搬送波を１つ又は複数のパルスに変換するようにさらに構成され得る。
【０１１７】
処理モジュール（１１５６）は、１つ又は複数の正弦波搬送波を処理するようにさらに構成され、１つ又は複数の正弦波搬送波の１つ又は複数の波サイクル（１０４）の各々の１つ又は複数の特性の値を決定するために、ゼロ電圧交差点の間の１つ又は複数の正弦波搬送波の１つ又は複数の波サイクル（１０４）の各々の１つ又は複数の特性を分析することをさらに含む。処理の後に、処理モジュール（１１５６）からの１つ又は複数の正弦波搬送波は、復元モジュール（１１５８）によって受信される。ステップ１１０８において、１つ又は複数の正弦波搬送波からの信号が、復元モジュール（１１５８）によって復元される。１つ又は複数の正弦波搬送波からの復元された信号は、次いで、出力ドライバ（１１６０）によって受信される。ステップ１１１０において、１つ又は複数の出力信号を形成するために、復元された信号を提供するために、１つ又は複数の出力信号が出力ドライバ（１１６０）によって提供される。
【０１１８】
デジタル生成器［システム］
本発明の一実施例によれば、変調信号はデジタル変調信号（２０２）である。図３は、デジタル信号受信モジュール（２２０）によって受信された１つ又は複数のデジタル変調信号によって搬送波サイクル（１０４）の振幅特性を制御することによる、本発明の一実施例による、デジタル変調信号を受信し、正弦波搬送波（２１２）を生成するためのシステム（２００）を示す。デジタル信号受信モジュール（２２０）は、デジタル搬送波モジュール（２４０）に接続される。デジタル搬送波モジュール（２４０）は、正弦波搬送波（２１２）を生成するように構成される。正弦波搬送波（２１２）は、限定はしないが、１つ又は複数の波サイクル（１０４）を含み得る。１つ又は複数の波サイクル（１０４）は、限定はしないが、１つ又は複数のサイン波サイクル（１０６）或いは１つ又は複数のゼロ電圧サイクル（１１０）であり得る。１つ又は複数の波サイクル（１０４）は、限定はしないが、半波サイクル（１０８）又は全波サイクル（１０７）であり得る。１つ又は複数の波サイクル（１０４）は、限定はしないが、ゼロ電圧交差点において開始し、連続するゼロ電圧交差点において終わるように構成される。１つ又は複数のゼロ電圧サイクル（１１０）は、限定はしないが、ゼロ振幅と、所定の位相角と、所定の周波数と、所定の時間期間と、それらの組合せとを備えるグループから選択された特徴を有し得る。
【０１１９】
送信システムは、限定はしないが、特定の実装形態に適したエンコーダ、デコーダ、暗号化、ＤＳＰ、圧縮、イコライザ、エンファシス、リミッタ、圧縮器、マルチプレクサ、アップ／ダウン変換器、シンクロナイザ、ａｄｃ、ｄａｃ、サンプル・アンド・ホールド、乗算器、分割器、遅延、補償器、コンバイナ、分割器、直接デジタル合成、メモリ、任意の波形生成器、スイッチング、フィルタ、周波数合成、関数生成器、変調器、補間器、有限インパルス応答、インテグレータ、信号再構成器、インテグレータ、発振器、乗算器、順方向補正、事前補正などから選択された、入力信号を処理するための１つ又は複数の処理モジュール（１１５６）を含み得る。
【０１２０】
あらかじめ定義された周波数範囲は、限定はしないが、ＥＬＦ、ＶＬＦ、ＬＦ、ＭＦ、ＨＦ、ＶＨＦ、ＵＨＦ、ＳＨＦ、ＥＨＦ帯域（３ｈｚ〜３００Ｇｈｚ）を含むべきである。振幅範囲は、限定はしないが、０ボルト〜１×１０９ボルトを含むべきである。位相範囲は、限定はしないが、０〜ｎπ位相角を含むべきである。時間期間範囲は、限定はしないが、０秒〜１×１０６秒を含むべきである。
【０１２１】
本発明の一実施例によれば、デジタル信号受信モジュール（２２０）は、１つ又は複数のデジタル変調信号を受信するように構成される。図４は、デジタル信号受信モジュール（２２０）を示す。デジタル信号受信モジュール（２２０）は、限定はしないが、デジタル受信機（２２２）と、エッジ検出器（２２４）と、エッジ・プロセッサ（２２６）とを備え、それらであり得る。デジタル受信機（２２２）は、１つ又は複数のデジタル変調信号を受信する。デジタル受信機（２２２）は、エッジ検出器（２２４）に接続される。エッジ検出器（２２４）は、エッジ・プロセッサ（２２６）にさらに接続される。
【０１２２】
本発明の一実施例によれば、デジタル信号受信モジュールは、エッジ検出器（２２４）を介してデジタル搬送波モジュール（２４０）にさらに接続される。図５は、デジタル搬送波モジュール（２４０）を示す。デジタル搬送波モジュール（２４０）は、トリガ０°〜３６０°サイクル生成器（２４２）を備える。トリガ０°〜３６０°サイクル生成器（２４２）は、基準発振器（２４４）に接続される。トリガ０°〜３６０°サイクル生成器（２４２）は、接地中心矩形波（Ｇｒｏｕｎｄ  ｃｅｎｔｒｅｄ  ｓｑｕａｒｅ  ｗａｖｅ）生成器（２４６）にさらに接続される。接地中心矩形波生成器（２４６）は、矩形−サイン波変換器（Ｓｑｕａｒｅ  ｔｏ  ｓｉｎｅ  ｗａｖｅ  ｃｏｎｖｅｒｔｅｒ）（２４８）に接続される。矩形−サイン波変換器（２４８）は、キャリア限定パス・フィルタ（Ｃａｒｒｉｅｒ  ｏｎｌｙ  ｐａｓｓ  ｆｉｌｔｅｒ）（２４９）に接続される。図６は、一実施例のための一般的な波形を示す。
【０１２３】
アナログ生成器［システム］
本発明の一実施例によれば、変調信号はアナログ変調信号（３０２）である。図７は、本発明の一実施例による、アナログ変調信号を受信し、正弦波搬送波を生成するためのシステムを示す。キャリアの振幅制御をもつシステム（３００）は、１つ又は複数のアナログ変調信号を備える。１つ又は複数のアナログ変調信号が、アナログ信号受信モジュール（３２０）によって受信される。アナログ信号受信モジュールは、アナログ搬送波モジュール（３４０）に接続される。アナログ搬送波モジュール（３４０）は、正弦波搬送波を生成するように構成される。正弦波搬送波（２１２）は、限定はしないが、１つ又は複数の波サイクル（１０４）を含み得る。１つ又は複数の波サイクル（１０４）は、限定はしないが、１つ又は複数のサイン波サイクル（１０６）或いは１つ又は複数のゼロ電圧サイクル（１１０）であり得る。１つ又は複数のサイン波サイクル（１０６）は、限定はしないが、半波サイクル（１０８）又は全波サイクル（１０７）であり得る。１つ又は複数のサイン波サイクル（１０６）は、限定はしないが、ゼロ電圧交差点において開始し、連続するゼロ電圧交差点において終わるように構成される。１つ又は複数のゼロ電圧サイクル（１１０）は、限定はしないが、ゼロ振幅と、所定の位相角と、所定の周波数と、所定の期間と、それらの組合せとを備えるグループから選択された特徴を有し得る。
【０１２４】
送信システムは、限定はしないが、特定の実装形態に適したエンコーダ、デコーダ、暗号化、ＤＳＰ、圧縮、イコライザ、エンファシス、リミッタ、圧縮器、マルチプレクサ、アップ／ダウン変換器、シンクロナイザ、ａｄｃ、ｄａｃ、サンプル・アンド・ホールド、乗算器、分割器、遅延、補償器、コンバイナ、分割器、直接デジタル合成、メモリ、任意の波形生成器、スイッチング、フィルタ、周波数合成、関数生成器、変調器、補間器、有限インパルス応答、インテグレータ、信号再構成器、インテグレータ、発振器、乗算器、順方向補正、事前補正などから選択された、入力信号を処理するための１つ又は複数の処理モジュール（１１５６）を含み得る。
【０１２５】
あらかじめ定義された周波数範囲は、限定はしないが、ＥＬＦ、ＶＬＦ、ＬＦ、ＭＦ、ＨＦ、ＶＨＦ、ＵＨＦ、ＳＨＦ、ＥＨＦ帯域（３ｈｚ〜３００Ｇｈｚ）を含むべきである。振幅範囲は、限定はしないが、０ボルト〜１×１０９ボルトを含むべきである。位相範囲は、限定はしないが、０〜ｎπ位相角を含むべきである。時間期間範囲は、限定はしないが、０秒〜１×１０６秒を含むべきである。
【０１２６】
本発明の一実施例によれば、アナログ信号受信モジュール（３２０）は、１つ又は複数のアナログ変調信号を受信するように構成される。図８は、アナログ信号受信モジュールを示す。アナログ信号受信モジュール（３２０）は、基準発振器（３２８）を備える。基準発振器（３２８）は、キャリア・ゼロ交差検出器（３２６）に接続される。キャリア・ゼロ交差検出器（３２６）は、サンプル・クロック（３２４）に接続される。サンプル・クロック（３２４）は、サンプル・アンド・ホールド（３２２）に接続される。
【０１２７】
本発明の一実施例によれば、アナログ信号受信モジュール（３２０）は、サンプル・アンド・ホールド（３２２）を介してアナログ搬送波モジュール（３４０）にさらに接続される。図９は、アナログ搬送波モジュール（３４０）を示す。アナログ搬送波モジュール（３４０）は、振幅制御（３４２）を含む。振幅制御（３４２）は、直接デジタル合成（３４４）に接続され得る。直接デジタル合成（３４４）によって生成された１つ又は複数の波サイクルは、限定はしないが、ゼロ電圧交差点において開始し、限定はしないが、連続するゼロ電圧交差点において終わるように構成される。直接デジタル合成（３４４）は、基準発振器（３２８）にさらに接続される。直接デジタル合成（３４４）は、キャリア限定パス・フィルタ（３４６）にさらに接続される。
【０１２８】
デジタル受信機［システム］
図１０は、本発明の一実施例による、あらかじめ定義された振幅をもつ正弦波搬送波（２１２）をデジタル信号に変換するためにその正弦波搬送波（２１２）を受信するためのシステム内のデバイスの構成を示す。システムは、フロント・エンド（１２５２）を備える。フロント・エンド（１２５２）は、限定はしないが、狭同調（ｎａｒｒｏｗ  ｔｕｎｅｄ）フロント・エンド（１２５２）と、バンド・パス・フィルタとを備え、それらであり得る。フロント・エンド（１２５２）は、安定化モジュール（１２５４）に接続され得る。安定化モジュール（１２５４）は、限定はしないが、周波数選択インターフェースと、発振器と、第１のミキサとを備え、それらであり得る。安定化モジュール（１２５４）は、処理モジュール（１２５６）に接続される。処理モジュール（１２５６）は、限定はしないが、同調ＩＦ増幅器、ゼロ・レベル・スライサ／クロック整形、ＡＧＣ増幅器、利得制御を備え、それらであり得る。処理モジュール（１２５６）は、復元モジュール（１２５８）に接続される。復元モジュール（１２５８）は、限定はしないが、トグル・ラッチ／データ・フォーマット復元と、ジッタ除去（Ｊｉｔｔｅｒ  ｒｅｍｏｖａｌ）とを備え、それらであり得る。復元モジュール（１２５８）は、出力ドライバ（１２６０）に接続される。
【０１２９】
システム（１００）は、１つ又は複数のモジュールを含み得、限定はしないが、特定の実装形態に適したエンコーダ、デコーダ、解読、ＤＳＰ、圧縮解除、デイコライザ、デエンファシス、デリミタ、圧縮解除器、デマルチプレクサ、アップ／ダウン変換器、シンクロナイザ、ＡＤＣ、ＤＡＣ、乗算器、分割器、遅延、補償器、コンバイナ、メモリ・モジュール、任意の波形生成器、スイッチング、フィルタ処理、周波数合成、復調器、補間器、有限インパルス応答処理、ディスインテグレータ、発振器、信号再構成器などから選択され得る。
【０１３０】
図１１は、受信された正弦波搬送波（２１２）のデジタル信号への変換を示す。
【０１３１】
アナログ受信機［システム］
図１２は、本発明の一実施例による、あらかじめ定義された振幅をもつ正弦波搬送波（２１２）をアナログ信号に変換するためにその正弦波搬送波（２１２）を受信するための受信システム内のデバイスの構成を示す。システムは、フロント・エンド（１３５２）を備える。フロント・エンド（１３５２）は、限定はしないが、狭同調フロント・エンド（１３５２）と、バンド・パス・フィルタとを備え、それらであり得る。フロント・エンド（１３５２）は、安定化モジュール（１３５４）に接続される。安定化モジュール（１３５４）は、限定はしないが、周波数選択インターフェースと、発振器と、第１のミキサとを備え、それらであり得る。安定化モジュール（１３５４）は、処理モジュール（１３５６）に接続される。処理モジュール（１３５６）は、限定はしないが、同調ＩＦ増幅器、広帯域ＡＭ検出器を備え、それらであり得る。処理モジュール（１３５６）は、復元モジュール（１３５８）に接続される。復元モジュール（１３５８）は、限定はしないが、エンベロープ・フィルタ及び信号補正フィルタと、ベースバンド・マルチチャネル復号とを備え、それらであり得る。復元モジュール（１３５８）は、出力ドライバ（１３６０）に接続される。
【０１３２】
システム（１００）は、１つ又は複数のモジュールを含み得、限定はしないが、特定の実装形態に適したエンコーダ、デコーダ、解読、ＤＳＰ、圧縮解除、デイコライザ、デエンファシス、デリミタ、圧縮解除器、デマルチプレクサ、アップ／ダウン変換器、シンクロナイザ、ＡＤＣ、ＤＡＣ、乗算器、分割器、遅延、補償器、コンバイナ、メモリ・モジュール、任意の波形生成器、スイッチング、フィルタ処理、周波数合成、復調器、補間器、有限インパルス応答処理、ディスインテグレータ、発振器、信号再構成器などから選択され得る。
【０１３３】
本発明は以下の様式で動作する。
【０１３４】
１つ又は複数の変調信号を受信するように構成された受信モジュールを有する送信方法。１つ又は複数の変調信号は、１つ又は複数のアナログ信号と、１つ又は複数のデジタル信号と、それらの組合せとを備えるグループから選択され得る。１つ又は複数の変調信号は、１つ又は複数の振幅と、１つ又は複数の周波数と、１つ又は複数の時間期間と、１つ又は複数の位相角と、それらの組合せとを備えるグループから選択された特徴を有し得る。受信モジュールは、限定はしないが、デジタル信号受信モジュール又はアナログ信号受信モジュール又はそれらの組合せであり得る。
【０１３５】
１つ又は複数の変調信号の１つ又は複数の値による１つ又は複数のゼロ電圧交差点において、所定の振幅を有する１つ又は複数の波サイクル（１０４）を含む、正弦波搬送波（２１２）を生成するように構成された搬送波モジュール。搬送波モジュールは、限定はしないが、デジタル搬送波モジュール（２４０）又はアナログ搬送波モジュール（３４０）又はそれらの組合せであり得る。
【０１３６】
デジタル生成器［動作］
１つ又は複数の変調信号が、図３に関する１つ又は複数のデジタル変調信号である場合、１つ又は複数のデジタル変調信号（２０２）は、デジタル信号受信モジュール（２２０）によって受信される。図４に関するデジタル信号受信モジュール（２２０）は、デジタル受信機（２２２）を介して１つ又は複数のデジタル変調信号（２０２）を受信する。デジタル受信機（２２２）を通る１つ又は複数のデジタル変調信号（２０２）は、エッジ検出器（２２４）に達する。エッジ検出器（２２４）は、１つ又は複数のデジタル変調信号のエッジを検出する。エッジ・プロセッサ（２２６）が、１つ又は複数のデジタル変調信号のエッジを処理する。
【０１３７】
１つ又は複数のデジタル変調信号の処理されたエッジは、次いで、デジタル搬送波モジュールによって受信される。図５に関するトリガ０°〜３６０°サイクル生成器（２４２）が、基準発振器（２４４）の助けをかりて、１つ又は複数のデジタル変調信号の処理されたエッジに基づいてサイクルを生成する。接地中心矩形波生成器（２４６）が、トリガ０°〜３６０°サイクル生成器（２４２）によって生成されたサイクルに基づいて矩形波を生成する。矩形−サイン波変換器（２４８）が、矩形波を正弦波搬送波（２１２）に変換する。キャリア限定パス・フィルタ（２４９）が、正弦波搬送波を受信する。キャリア限定パス・フィルタ（２４９）は、正弦波搬送波（２１２）を生成する搬送波をフィルタ処理するように構成される。
【０１３８】
図６は、デジタル変調信号から作り出された波形を示す。
【０１３９】
アナログ生成器［動作］
１つ又は複数の変調信号が、図７に関する１つ又は複数のアナログ変調信号である場合、１つ又は複数のアナログ変調信号は、アナログ信号受信モジュール（３２０）によって受信される。図８に関するアナログ信号受信モジュールは、１つ又は複数のアナログ変調信号を受信する。１つ又は複数のアナログ変調信号（３０２）は、基準発振器（３２８）と、キャリア・ゼロ交差検出器（３２６）と、サンプル・クロック（３２４）との助けをかりて、サンプル・アンド・ホールド（３２２）によってサンプリングされる。
【０１４０】
サンプル・アンド・ホールド（３２２）からの１つ又は複数のアナログ変調信号（３０２）のサンプル値が、アナログ搬送波モジュール（３４０）によって受信される。図９を参照すると、振幅制御（３４２）は、１つ又は複数のアナログ変調信号（３０２）の振幅を調節するように構成される。１つ又は複数のアナログ変調信号（３０２）は、デジタル直接合成（３４４）によって受信される。デジタル直接合成（３４４）は、基準発振器（３２８）の助けをかりて搬送波を合成するように構成される。生成された正弦波搬送波（２１２）は、次いで、キャリア限定パス・フィルタ（３４６）によって受信される。キャリア限定パス・フィルタ（３４６）は、搬送波をフィルタ処理し、正弦波搬送波（２１２）を生成するように構成される。
【０１４１】
デジタル受信機［動作］
デジタル搬送波生成器モジュールによって作り出された正弦波搬送波（２１２）を受信するための方法は、次いで、正弦波搬送波（２１２）をデジタル信号に変換するために正弦波搬送波（２１２）を受信するためのシステムによって受信される。正弦波搬送波（２１２）は、フロント・エンド（１２５２）によって受信される。フロント・エンド（１２５２）は、１つ又は複数の正弦波搬送波（２１２）を受信するように構成され、１つ又は複数の正弦波搬送波（２１２）を受信し、増幅することと、１つ又は複数の搬送波周波数を選択することとを含む。フロント・エンド（１２５２）からの得られた正弦波搬送波（２１２）は、安定化モジュール（１２５４）によって受信される。安定化モジュール（１２５４）は、１つ又は複数の正弦波搬送波（２１２）を最適化するように構成され、それは、受信された１つ又は複数の正弦波搬送波（２１２）を安定化することと、安定化された１つ又は複数の正弦波搬送波（２１２）をフィルタ処理することと、１つ又は複数の正弦波搬送波（２１２）から雑音及び干渉を除去することとを含み得る。最適化された正弦波搬送波（２１２）は、次いで、処理モジュール（１２５６）によって受信される。処理モジュール（１２５６）は、１つ又は複数の正弦波搬送波（２１２）を処理するように構成される。処理モジュール（１２５６）は、フィルタ処理された正弦波搬送波を増幅することと、利得を制御することと、さらに、ヘテロダイン・プロセスによって上側又は下側の中間周波数を生成することとを行うようにさらに構成される。
【０１４２】
ここで、処理モジュール（１２５６）は、フィルタ処理された正弦波搬送波を増幅することと、利得を制御することと、情報を復調することとを行うように構成され、処理モジュール（１２５６）は、１つ又は複数の正弦波搬送波（２１２）を１つ又は複数のパルスに変換するようにさらに構成され得る。
【０１４３】
処理モジュール（１２５６）は、１つ又は複数の正弦波搬送波（２１２）を処理するようにさらに構成され、１つ又は複数の正弦波搬送波（２１２）の１つ又は複数の波サイクル（１０４）の各々の１つ又は複数の特性の値を決定するために、ゼロ電圧交差点の間の１つ又は複数の正弦波搬送波（２１２）の１つ又は複数の波サイクル（１０４）の各々の１つ又は複数の特性を分析することをさらに含む。処理の後に、処理モジュール（１２５６）からの１つ又は複数の正弦波搬送波（２１２）は、復元モジュール（１２５８）によって受信される。復元モジュール（１２５８）は、１つ又は複数の正弦波搬送波（２１２）から信号を復元するように構成され、１つ又は複数の波サイクル（１０４）から信号を復元することをさらに含む。１つ又は複数の正弦波搬送波（２１２）からの復元された信号は、次いで、出力ドライバ（１２６０）によって受信される。１つ又は複数の出力信号を提供するように構成された出力ドライバ（１２６０）は、１つ又は複数の出力信号を形成するために、復元された信号を提供することを含む。
【０１４４】
アナログ受信機［動作］
搬送波送信方法によって作り出された正弦波搬送波（２１２）を受信するための方法は、正弦波搬送波（２１２）をアナログ信号に変換するために正弦波搬送波（２１２）を受信するための方法／装置によって受信される。正弦波搬送波（２１２）は、フロント・エンド（１３５２）によって受信される。フロント・エンド（１３５２）は、１つ又は複数の正弦波搬送波（２１２）を受信するように構成され、１つ又は複数の正弦波搬送波（２１２）を受信し、増幅し、１つ又は複数の搬送波周波数を選択することを含む。フロント・エンド（１３５２）からの得られた正弦波搬送波（２１２）は、安定化モジュール（１３５４）によって受信される。安定化モジュール（１３５４）は、１つ又は複数の正弦波搬送波（２１２）を最適化するように構成され、それは、受信された１つ又は複数の正弦波搬送波（２１２）を安定化することと、安定化された１つ又は複数の正弦波搬送波（２１２）をフィルタ処理することと、１つ又は複数の正弦波搬送波（２１２）から雑音及び干渉を除去することとを含み得る。最適化された正弦波搬送波（２１２）は、次いで、処理モジュール（１３５６）によって受信される。処理モジュール（１３５６）は、１つ又は複数の正弦波搬送波（２１２）を処理するように構成される。処理モジュール（１３５６）は、フィルタ処理された正弦波搬送波を増幅することと、利得を制御することと、情報を復調することとを行うようにさらに構成される。処理モジュール（１３５６）は、フィルタ処理された正弦波搬送波を増幅することと、利得を制御することと、情報を復調することとを行うように構成され、処理モジュール（１３５６）は、１つ又は複数の正弦波搬送波（２１２）を１つ又は複数のパルスに変換することと、ヘテロダイン・プロセスによって１つ又は複数の正弦波搬送波（２１２）を上側又は下側の中間周波数にさらに変換することとを行うようにさらに構成される。
【０１４５】
処理モジュール（１３５６）は、１つ又は複数の正弦波搬送波（２１２）を処理するようにさらに構成され、１つ又は複数の正弦波搬送波（２１２）の１つ又は複数の波サイクル（１０４）の各々の１つ又は複数の特性の値を決定するために、ゼロ電圧交差点の間の１つ又は複数の正弦波搬送波（２１２）の１つ又は複数の波サイクル（１０４）の各々の１つ又は複数の特性を分析することをさらに含む。処理の後に、処理モジュール（１３５６）からの１つ又は複数の正弦波搬送波（２１２）は、復元モジュール（１３５８）によって受信される。１つ又は複数の正弦波搬送波（２１２）から信号を復元するように構成された復元モジュール（１３５８）は、１つ又は複数の波サイクル（１０４）から信号を復元することをさらに含む。１つ又は複数の正弦波搬送波（２１２）からの復元された信号は、次いで、出力ドライバ（１３６０）によって受信される。１つ又は複数の出力信号を提供するように構成された出力ドライバ（１３６０）は、１つ又は複数の出力信号を形成するために、復元された信号を提供することを含む。
【０１４６】
デジタル生成器［システム］
本発明の一実施例によれば、変調信号はデジタル変調信号（４０２）である。図１３は、本発明の一実施例による、デジタル変調信号（４０２）を受信し、正弦波搬送波（４１２）を生成するためのシステムを示し、１つ又は複数のデジタル変調信号（４０２）はデジタル信号受信モジュール（４２０）によって受信される。デジタル信号受信モジュール（４２０）は、デジタル搬送波モジュール（４４０）に接続される。デジタル搬送波モジュール（４４０）は、正弦波搬送波を生成するように構成される。正弦波搬送波（４１２）は、限定はしないが、１つ又は複数の波サイクル（１０４）を含み得る。１つ又は複数の波サイクル（１０４）は、限定はしないが、１つ又は複数のサイン波サイクル（１０６）或いは１つ又は複数のゼロ電圧サイクル（１１０）であり得る。１つ又は複数のサイン波サイクル（１０６）は、限定はしないが、半波サイクル（１０８）又は全波サイクル（１０７）であり得る。１つ又は複数のサイン波サイクル（１０６）は、限定はしないが、ゼロ電圧交差点において開始し、限定はしないが、連続するゼロ電圧交差点において終わるように構成される。１つ又は複数のゼロ電圧サイクル（１１０）は、限定はしないが、ゼロ振幅と、所定の位相角と、所定の周波数と、所定の時間期間と、それらの組合せとを備えるグループから選択された特徴を有し得る。
【０１４７】
あらかじめ定義された周波数範囲は、限定はしないが、ＥＬＦ、ＶＬＦ、ＬＦ、ＭＦ、ＨＦ、ＶＨＦ、ＵＨＦ、ＳＨＦ、ＥＨＦ帯域（３ｈｚ〜３００Ｇｈｚ）を含むべきである。振幅範囲は、限定はしないが、０ボルト〜１×１０９ボルトを含むべきである。位相範囲は、限定はしないが、０〜ｎπ位相角を含むべきである。時間期間範囲は、限定はしないが、０秒〜１×１０６秒を含むべきである。
【０１４８】
本発明の一実施例によれば、デジタル信号受信モジュール（４２０）は、１つ又は複数のデジタル変調信号（４０２）を受信するように構成される。図１４は、デジタル変調信号（４０２）を受信するためのデジタル信号受信モジュール（４２０）を示す。デジタル信号受信モジュール（４２０）は、限定はしないが、デジタル受信機（４２２）と、エッジ検出器（４２４）と、エッジ・プロセッサ（４２６）とを備え、それらであり得る。デジタル受信機（４２２）は、１つ又は複数のデジタル変調信号（４０２）を受信する。デジタル受信機（４２２）は、エッジ検出器（４２４）に接続される。エッジ検出器（４２４）は、エッジ・プロセッサ（４２６）にさらに接続される。
【０１４９】
本発明の一実施例によれば、デジタル信号受信モジュール（４２０）は、エッジ・プロセッサ（４２６）を介してデジタル搬送波モジュール（４４０）にさらに接続される。図１５は、デジタル搬送波モジュール（４４０）を示す。デジタル搬送波モジュール（４４０）は、ゼロ交差シンクロナイザ（４４２）を備える。ゼロ交差シンクロナイザ（４４２）は、ステップ・プロセッサ（４４８）に接続される。ステップ・プロセッサ（４４８）は、段階的キャリア発振器（ｓｔｅｐｐｅｄ  ｃａｒｒｉｅｒ  ｏｓｃｉｌｌａｔｏｒ）（４４６）にさらに接続される。ゼロ交差シンクロナイザ（４４２）は、キャリア・ゼロ交差検出器（４４４）にさらに接続される。キャリア・ゼロ交差検出器（４４４）は、段階的キャリア発振器（４４６）にさらに接続される。段階的キャリア発振器（４４６）は、キャリア限定パス・フィルタ（４４９）にさらに接続される。
【０１５０】
図１６は、上述のシステムから生成された波形を示す。
【０１５１】
アナログ生成器［システム］
本発明の一実施例によれば、変調信号はアナログ変調信号（５０２）である。図１７は、アナログ変調信号（５０２）を受信し、正弦波搬送波（４１２）を生成するためのシステムを示す。システムは、１つ又は複数のアナログ変調信号（５０２）を備える。１つ又は複数のアナログ変調信号（５０２）は、アナログ信号受信モジュール（５２０）によって受信される。アナログ信号受信モジュール（５２０）は、アナログ搬送波モジュール（４４０）に接続される。アナログ搬送波モジュール（４４０）は、正弦波搬送波を生成するように構成される。正弦波搬送波（４１２）は、限定はしないが、１つ又は複数の波サイクル（１０４）を含み得る。１つ又は複数の波サイクル（１０４）は、限定はしないが、１つ又は複数のサイン波サイクル（１０６）或いは１つ又は複数のゼロ電圧サイクル（１１０）であり得る。１つ又は複数の波サイクル（１０６）は、限定はしないが、半波サイクル（１０８）又は全波サイクル（１０７）であり得る。１つ又は複数の波サイクル（１０６）は、限定はしないが、ゼロ電圧交差点において開始し、限定はしないが、連続するゼロ電圧交差点において終わるように構成される。１つ又は複数のゼロ電圧サイクル（１１０）は、限定はしないが、ゼロ振幅と、所定の位相角と、所定の周波数と、所定の時間期間と、それらの組合せとを備えるグループから選択された特徴を有し得る。
【０１５２】
あらかじめ定義された周波数範囲は、限定はしないが、ＥＬＦ、ＶＬＦ、ＬＦ、ＭＦ、ＨＦ、ＶＨＦ、ＵＨＦ、ＳＨＦ、ＥＨＦ帯域（３ｈｚ〜３００Ｇｈｚ）を含むべきである。振幅範囲は、限定はしないが、０ボルト〜１×１０９ボルトを含むべきである。位相範囲は、限定はしないが、０〜ｎπ位相角を含むべきである。時間期間範囲は、限定はしないが、０秒〜１×１０６秒を含むべきである。
【０１５３】
本発明の一実施例によれば、アナログ信号受信モジュール（５２０）は、１つ又は複数のアナログ変調信号（５０２）を受信するように構成される。図１８は、アナログ信号受信モジュール（５２０）を示す。アナログ信号受信モジュール（５２０）（５２０）は、サンプル・アンド・ホールド（５２８）に接続された信号入力モジュールを備える。サンプル・アンド・ホールド（５２８）は、キャリア・ゼロ交差検出器（５２４）とさらに接続される。キャリア・ゼロ交差検出器（５２４）は、キャリア基準（５２６）と接続される。キャリア基準（５２６）は、直接デジタル合成（５３０）とさらに接続される。
【０１５４】
本発明の一実施例によれば、アナログ信号受信モジュール（５２０）は、サンプル・アンド・ホールド（５２８）を介してアナログ搬送波モジュール（５４０）にさらに接続される。図１９は、アナログ搬送波モジュール（５４０）を示す。アナログ搬送波モジュール（５４０）は、段階的周波数制御（５４２）を備える。段階的周波数制御（５４２）は、直接デジタル合成（５４４）と接続される。直接デジタル合成（５４４）は、基準発振器（５４８）にさらに接続される。直接デジタル合成（５４４）は、キャリア限定パス・フィルタ（５４６）にさらに接続される。生成された正弦波搬送波（４１２）の得られたタイプが、図２０及び図２１に示されている。
【０１５５】
送信システムは、限定はしないが、特定の実装形態に適したエンコーダ、デコーダ、暗号化、ＤＳＰ、圧縮、イコライザ、エンファシス、リミッタ、圧縮器、マルチプレクサ、アップ／ダウン変換器、シンクロナイザ、ａｄｃ、ｄａｃ、サンプル・アンド・ホールド、乗算器、分割器、遅延、補償器、コンバイナ、分割器、直接デジタル合成、メモリ、任意の波形生成器、スイッチング、フィルタ、周波数合成、関数生成器、変調器、補間器、有限インパルス応答、インテグレータ、信号再構成器、インテグレータ、発振器、乗算器、順方向補正、事前補正などから選択された、入力信号を処理するための１つ又は複数の処理モジュール（１４５６）を含み得る。
【０１５６】
デジタル受信機［システム］
図２２は、本発明の一実施例による、デジタル信号を復元するために、周波数パラメータの制御をもつ正弦波搬送波（４１２）を受信するための受信システム内のデバイスの構成を示す。受信システムは、フロント・エンド（１４５２）を備える。フロント・エンド（１４５２）は、限定はしないが、狭同調フロント・エンド（１４５２）と、バンド・パス・フィルタとを備え、それらであり得る。フロント・エンド（１４５２）は、安定化モジュール（１４５４）に接続される。安定化モジュール（１４５４）は、限定はしないが、周波数選択インターフェースと、発振器と、第１のミキサとを備え、それらであり得る。安定化モジュール（１４５４）は、処理モジュール（１４５６）に接続される。処理モジュール（１４５６）は、限定はしないが、同調ＩＦ増幅器と、高帯域幅周波数弁別検出器と、ＡＧＣ増幅器と、利得制御とを備え、それらであり得る。処理モジュール（１４５６）は、復元モジュール（１４５８）に接続され、検出された広帯域変調信号を受信する。復元モジュール（１４５８）は、限定はしないが、クロック復元と、データ・フォーマット変換器と、ジッタ除去とを備え、それらであり得る。復元モジュール（１４５８）は、マルチチャネル・デジタル信号を復号するための処理をさらに含み、出力ドライバ（１４６０）に接続され得る。
【０１５７】
システム（１００）は、１つ又は複数のモジュールを含み得、限定はしないが、特定の実装形態に適したエンコーダ、デコーダ、解読、ＤＳＰ、圧縮解除、デイコライザ、デエンファシス、デリミタ、圧縮解除器、デマルチプレクサ、アップ／ダウン変換器、シンクロナイザ、ＡＤＣ、ＤＡＣ、乗算器、分割器、遅延、補償器、コンバイナ、メモリ・モジュール、任意の波形生成器、スイッチング、フィルタ処理、周波数合成、復調器、補間器、有限インパルス応答処理、ディスインテグレータ、発振器、信号再構成器などから選択され得る。
【０１５８】
アナログ受信機［システム］
図２３は、本発明の一実施例による、周波数パラメータの制御をもつ正弦波搬送波（４１２）をアナログ信号に変換するためにその正弦波搬送波（４１２）を受信するための受信システム内のデバイスの構成を示す。システムは、フロント・エンド（１５５２）を備える。フロント・エンド（１５５２）は、限定はしないが、狭同調フロント・エンド（１５５２）と、バンド・パス・フィルタとを備え、それらであり得る。フロント・エンド（１５５２）は、安定化モジュール（１５５４）に接続される。安定化モジュール（１５５４）は、限定はしないが、周波数選択インターフェースと、発振器と、第１のミキサとを備え、それらであり得る。安定化モジュール（１５５４）は、処理モジュール（１５５６）に接続される。処理モジュール（１５５６）は、限定はしないが、同調ＩＦ増幅器、広帯域ＦＭ検出器を備え、それらであり得る。処理モジュール（１５５６）は、復元モジュール（１５５８）に接続される。復元モジュール（１５５８）は、限定はしないが、エンベロープ・フィルタ及び信号補正フィルタと、ベースバンド・マルチチャネル復号とを備え、それらであり得る。復元モジュール（１５５８）は、出力ドライバ（１５６０）に接続される。
【０１５９】
システム（１００）は、１つ又は複数のモジュールを含み得、限定はしないが、特定の実装形態に適したエンコーダ、デコーダ、解読、ＤＳＰ、圧縮解除、デイコライザ、デエンファシス、デリミタ、圧縮解除器、デマルチプレクサ、アップ／ダウン変換器、シンクロナイザ、ＡＤＣ、ＤＡＣ、乗算器、分割器、遅延、補償器、コンバイナ、メモリ・モジュール、任意の波形生成器、スイッチング、フィルタ処理、周波数合成、復調器、補間器、有限インパルス応答処理、ディスインテグレータ、発振器、信号再構成器などから選択され得る。
【０１６０】
本発明は以下の様式で実施する。
【０１６１】
図１３は、周波数パラメータの制御をもつシステムを示す。１つ又は複数の変調信号を受信するように構成された受信モジュール（４２０）。１つ又は複数の変調信号は、１つ又は複数のアナログ信号と、１つ又は複数のデジタル信号と、それらの組合せとを備えるグループから選択され得る。１つ又は複数の変調信号は、１つ又は複数の振幅と、１つ又は複数の周波数と、１つ又は複数の時間期間と、１つ又は複数の位相角と、それらの組合せとを備えるグループから選択された特徴を有し得る。受信モジュールは、限定はしないが、デジタル信号受信モジュール又はアナログ信号受信モジュールであり得る。
【０１６２】
１つ又は複数の変調信号の１つ又は複数の値による１つ又は複数のゼロ電圧交差点において、所定の周波数を有する１つ又は複数の波サイクル（１０４）を含む、正弦波搬送波（４１２）を生成するように構成された搬送波モジュール（４４０）。搬送波モジュールは、限定はしないが、デジタル搬送波モジュール（４４０）又はアナログ搬送波モジュール（４４０）又はそれらの組合せであり得る。
【０１６３】
デジタル生成器［動作］
１つ又は複数の変調信号が、図１３に関する１つ又は複数のデジタル変調信号（４０２）である場合、１つ又は複数のデジタル変調信号（４０２）は、デジタル信号受信モジュール（４２０）によって受信される。図１４に関するデジタル信号受信モジュール（４２０）は、デジタル受信機（４２２）を介して１つ又は複数のデジタル変調信号（４０２）を受信する。デジタル受信機（４２２）を通る１つ又は複数のデジタル変調信号（４０２）は、エッジ検出器（４２４）に達する。エッジ検出器（４２４）は、１つ又は複数のデジタル変調信号（４０２）のエッジを検出する。エッジ・プロセッサ（４２６）が、１つ又は複数のデジタル変調信号（４０２）のエッジを処理する。
【０１６４】
１つ又は複数のデジタル変調信号（４０２）の処理されたエッジは、次いで、デジタル搬送波モジュール（４４０）によって受信される。図１５に関するゼロ交差シンクロナイザ（４４２）、キャリア・ゼロ交差検出器（４４４）が、搬送波のゼロ電圧交差点に同期される。ステップ・プロセッサ（４４８）が、周波数ステップを段階的キャリア発振器（４４６）に適用する。段階的キャリア発振器（４４６）は、段階的キャリア周波数波の各波サイクルが正弦波搬送波のゼロ電圧交差点において開始し、終わる、搬送波を生成する。段階的キャリア発振器（４４６）は、側波帯なしのあらかじめ定義されたキャリア周波数を生成するように構成される。キャリア限定パス・フィルタ（４４９）が、正弦波搬送波（４１２）を受信する。キャリア限定パス・フィルタは、正弦波搬送波（４１２）を生成する搬送波を通すように構成される。
【０１６５】
アナログ生成器［動作］
図１７は、周波数パラメータの制御をもつ送信システムを示す。１つ又は複数の変調信号が、図１８に関する１つ又は複数のアナログ変調信号（５０２）である場合、１つ又は複数のアナログ変調信号（５０２）は、アナログ信号受信モジュール（５２０）によって受信される。図１８に関するアナログ信号受信モジュールは、１つ又は複数のアナログ変調信号（５０２）を受信する。１つ又は複数のアナログ変調信号（５０２）は、キャリア・ゼロ交差検出器の助けをかりて、限定はしないがキャリアのゼロ電圧交差点においてサンプル・アンド・ホールドによってサンプリングされる。キャリア・ゼロ交差検出器は、キャリア基準を通して直接デジタル合成からのゼロ交差情報を駆動する。キャリアのゼロ電圧交差点における変調信号のサンプリング値は、正弦波搬送波（４１２）生成モジュールに送られる。
【０１６６】
サンプル・アンド・ホールド（５２８）からの１つ又は複数のアナログ変調信号（５０２）からの値を含んでいるサンプルが、アナログ搬送波モジュール（５２０）によって受信される。図１９を参照すると、段階的周波数制御（５４２）は、１つ又は複数のアナログ変調信号（５０２）からのサンプルを処理するように構成される。１つ又は複数のアナログ変調信号（５０２）サンプルは、直接デジタル合成（５３０）によって受信される。直接デジタル合成（５４４）は、限定はしないが、ゼロ電圧交差点において開始し、限定はしないが、搬送波サイクル（１０４）の連続するゼロ電圧交差点において終わる、段階的周波数サイン波サイクル（１０６）を生成するように構成される。直接デジタル合成（５４４）は、基準発振器（５４８）の助けをかりて、側波帯なしのあらかじめ定義された段階的キャリア周波数を生成するように構成される。搬送波は、次いで、キャリア限定パス・フィルタ（５４６）によって受信される。キャリア限定パス・フィルタ（５４６）は、正弦波搬送波（４１２）を生成する搬送波を通すように構成される。
【０１６７】
デジタル受信機［動作］
正弦波搬送波モジュール（４４０）によって作り出された正弦波搬送波（４１２）は、次いで、正弦波搬送波（４１２）をデジタル信号に変換するために正弦波搬送波（４１２）を受信するための図２２に示されているシステムによって受信される。正弦波搬送波（４１２）は、フロント・エンド（１４５２）によって受信される。フロント・エンド（１４５２）は、１つ又は複数の正弦波搬送波（４１２）を受信するように構成され、１つ又は複数の正弦波搬送波（４１２）を受信し、増幅することと、１つ又は複数の搬送波周波数を選択することとを含む。フロント・エンド（１４５２）からの得られた正弦波搬送波（４１２）は、安定化モジュール（１４５４）によって受信される。安定化モジュール（１４５４）は、１つ又は複数の正弦波搬送波（４１２）を最適化するように構成され、それは、受信された１つ又は複数の正弦波搬送波（４１２）を安定化することと、安定化された１つ又は複数の正弦波搬送波（４１２）をフィルタ処理することと、１つ又は複数の正弦波搬送波（４１２）から雑音及び干渉を除去することとを含み得、さらに、ヘテロダイン・プロセスによって上側又は下側の中間周波数を生成し得る。最適化された正弦波搬送波（４１２）は、次いで、処理モジュール（１４５６）によって受信される。処理モジュール（１４５６）は、１つ又は複数の正弦波搬送波（４１２）を処理するように構成される。処理モジュール（１４５６）は、フィルタ処理された正弦波搬送波を増幅し、最適化するようにさらに構成される。
【０１６８】
ここで、処理モジュール（１４５６）は、フィルタ処理された正弦波搬送波を増幅することと、利得を制御することと、情報を復調することとを行うように構成され、処理モジュール（１４５６）は、１つ又は複数の正弦波搬送波（４１２）を１つ又は複数のパルスに変換するようにさらに構成され得る。
【０１６９】
処理モジュール（１４５６）は、１つ又は複数の正弦波搬送波（４１２）を処理するようにさらに構成され、１つ又は複数の正弦波搬送波（４１２）の１つ又は複数の波サイクル（１０４）の各々の１つ又は複数の特性の値を決定するために、ゼロ電圧交差点において１つ又は複数の正弦波搬送波（４１２）の１つ又は複数の波サイクル（１０４）の各々の１つ又は複数の特性を分析することをさらに含む。処理の後に、処理モジュール（１４５６）からの１つ又は複数の正弦波搬送波（４１２）は、復元モジュール（１４５８）によって受信され、復調される。１つ又は複数の正弦波搬送波（４１２）から信号を復元するように構成された復元モジュール（１４５８）は、１つ又は複数の波サイクル（１０４）から信号を復元することをさらに含む。１つ又は複数の正弦波搬送波（４１２）からの復元された信号は、次いで、出力ドライバ（１４６０）によって受信される。１つ又は複数の出力信号を提供するように構成された出力ドライバ（１４６０）は、１つ又は複数の出力信号を形成するために、復元された信号を提供することを含む。
【０１７０】
アナログ受信機［動作］
正弦波搬送波モジュール（４４０）によって作り出された正弦波搬送波（４１２）は、次いで、正弦波搬送波（４１２）をアナログ信号に変換するために正弦波搬送波（４１２）を受信するための図２３によって示されている受信システムによって受信される。正弦波搬送波（４１２）は、フロント・エンド（１５５２）によって受信される。フロント・エンド（１５５２）は、１つ又は複数の正弦波搬送波（４１２）を受信するように構成され、１つ又は複数の正弦波搬送波（４１２）を受信し、増幅することと、１つ又は複数の搬送波周波数を選択することとを含む。フロント・エンド（１５５２）からの得られた正弦波搬送波（４１２）は、安定化モジュール（１５５４）によって受信される。安定化モジュール（１５５４）は、１つ又は複数の正弦波搬送波（４１２）を最適化するように構成され、それは、受信された１つ又は複数の正弦波搬送波（４１２）を安定化することと、安定化された１つ又は複数の正弦波搬送波（４１２）をフィルタ処理することと、１つ又は複数の正弦波搬送波（４１２）から雑音及び干渉を除去することとを含み得る。最適化された正弦波搬送波（４１２）は、次いで、処理モジュール（１５５６）によって受信される。処理モジュール（１５５６）は、１つ又は複数の正弦波搬送波（４１２）を処理するように構成される。
【０１７１】
ここで、処理モジュール（１５５６）は、フィルタ処理された正弦波搬送波を増幅することと、利得を制御することとを行うように構成され、処理モジュール（１５５６）は、１つ又は複数の正弦波搬送波（４１２）を１つ又は複数のパルスに変換することと、ヘテロダイン・プロセスによって１つ又は複数の正弦波搬送波（４１２）を上側又は下側の中間周波数にさらに変換することとを行うようにさらに構成される。
【０１７２】
処理モジュール（１５５６）は、１つ又は複数の正弦波搬送波（４１２）を処理するようにさらに構成され、信号を復調するために１つ又は複数の正弦波搬送波（４１２）の１つ又は複数の波サイクル（１０４）の各々の１つ又は複数の特性の値を決定するために、限定はしないが、ゼロ電圧交差点において１つ又は複数の正弦波搬送波（４１２）の１つ又は複数の波サイクル（１０４）の各々の１つ又は複数の特性を分析することをさらに含む。処理の後に、処理モジュール（１５５６）からの１つ又は複数の正弦波搬送波（４１２）は、復元モジュール（１５５８）によって受信される。１つ又は複数の正弦波搬送波（４１２）から信号を復元するように構成された復元モジュール（１５５８）は、１つ又は複数の波サイクル（１０４）から信号を復元することをさらに含む。１つ又は複数の正弦波搬送波（４１２）からの復元された信号は、次いで、出力ドライバ（１５６０）によって受信される。出力ドライバ（１５６０）は、ベース・バンド処理を含み、１つ又は複数の出力信号を提供するようにさらに構成され得、１つ又は複数の出力信号を形成するために、復元された信号を提供することを含む。
【０１７３】
本発明の一実施例によれば、変調信号はデジタル変調信号である。図２４は、デジタル変調信号（６０２）によって正弦波搬送波（６１２）の位相特性を制御し、正弦波搬送波を生成するシステム（６００）を示し、１つ又は複数のデジタル変調信号は、デジタル信号受信モジュール（６２０）によって受信される。デジタル信号受信モジュールは、デジタル搬送波モジュール（６４０）に接続される。デジタル搬送波モジュールは、正弦波搬送波（６１２）を生成するように構成される。正弦波搬送波（６１２）は、限定はしないが、１つ又は複数の波サイクル（１０４）を含み得る。１つ又は複数の波サイクル（１０４）は、限定はしないが、１つ又は複数のサイン波サイクル（１０６）或いは１つ又は複数のゼロ電圧サイクル（１１０）或いは１つ又は複数の基準サイクルであり得る。１つ又は複数のサイン波サイクル（１０６）は、限定はしないが、半波サイクル（１０８）又は全波サイクル（１０７）であり得る。１つ又は複数のゼロ電圧サイクル（１１０）は、限定はしないが、ゼロ振幅と、所定の位相角と、所定の周波数と、所定の時間期間と、それらの組合せとを備えるグループから選択された特徴を有し得る。
【０１７４】
あらかじめ定義された周波数範囲は、限定はしないが、ＥＬＦ、ＶＬＦ、ＬＦ、ＭＦ、ＨＦ、ＶＨＦ、ＵＨＦ、ＳＨＦ、ＥＨＦ帯域（３ｈｚ〜３００Ｇｈｚ）を含むべきである。振幅範囲は、限定はしないが、０ボルト〜１×１０９ボルトを含むべきである。位相範囲は、限定はしないが、０〜ｎπ位相角を含むべきである。時間期間範囲は、限定はしないが、０秒〜１×１０６秒を含むべきである。
【０１７５】
デジタル生成器［システム］
図２４に示されている、本発明の一実施例によれば、デジタル信号受信モジュール（６２０）は、１つ又は複数のデジタル変調信号（６０２）を受信するように構成される。図２５は、デジタル信号受信モジュール（６２０）を示す。デジタル受信機（６２２）は、データ・バイト生成器（６２４）と接続される。データ・バイト生成器（６２４）は、キャリア及びブロック・クロック生成器（６２６）とさらに接続される。キャリア及びブロック・クロック生成器（６２６）は、基準発振器（６２８）と接続される。データ・バイト生成器（６２４）は、データ−位相変換器（６３０）とさらに接続される。デジタル信号受信モジュール（６２０）は、限定はしないが、デジタル受信機（６２２）と、データ・バイト生成器（６２４）と、基準発振器（６２８）と、データ−位相変換器（６３０）と、キャリア・クロック及びブロック・クロック生成器（６２６）とを備え、それらであり得る。デジタル受信機（６２２）は、１つ又は複数のデジタル変調信号（６０２）を受信する。
【０１７６】
本発明の一実施例によれば、デジタル信号受信モジュール（６２０）は、データ−位相変換器（６３０）を介してデジタル搬送波モジュール（６４０）にさらに接続される。図２６は、デジタル搬送波モジュール（６４０）を示す。デジタル搬送波モジュールは、データ０°〜３６０°サイクル生成器（６４２）を備える。データ０°〜３６０°サイクル生成器（６４２）は、接地中心矩形波生成器（６４７）と接続される。接地中心矩形波生成器（６４７）は、矩形−サイン波変換器（６４８）と接続される。矩形−サイン波変換器（６４８）は、キャリア限定パス・フィルタ（６４９）に接続される。データ０°〜３６０°サイクル生成器（６４２）は、キャリア及びブロック・クロック生成器（６４４）とさらに接続される。キャリア及びブロック・クロック生成器（６４４）は、基準０°〜３６０°サイクル生成器（６４６）とさらに接続される。基準０°〜３６０°サイクル生成器（６４６）は、接地中心矩形波生成器（６４７）とさらに接続される。図２７は、位相変調された正弦波搬送波（６１２）の生成を示すための顕著な波形を示す。
【０１７７】
送信システムは、限定はしないが、特定の実装形態に適したエンコーダ、デコーダ、暗号化、ＤＳＰ、圧縮、イコライザ、エンファシス、リミッタ、圧縮器、マルチプレクサ、アップ／ダウン変換器、シンクロナイザ、ａｄｃ、ｄａｃ、サンプル・アンド・ホールド、乗算器、分割器、遅延、補償器、コンバイナ、分割器、直接デジタル合成、メモリ、任意の波形生成器、スイッチング、フィルタ、周波数合成、関数生成器、変調器、補間器、有限インパルス応答、インテグレータ、信号再構成器、インテグレータ、発振器、乗算器、順方向補正、事前補正などから選択された、入力信号を処理するための１つ又は複数の処理モジュール（１１５６）を含み得る。
【０１７８】
アナログ生成器［システム］
本発明の一実施例によれば、変調信号はアナログ変調信号である。図２８は、正弦波搬送波（６１２）アナログ変調信号（７０２）の位相特性を制御し、正弦波搬送波（６１２）を生成するシステム（７００）を示す。システム（７００）は、１つ又は複数のアナログ変調信号（７０２）を備える。１つ又は複数のアナログ変調信号（７０２）は、アナログ信号受信モジュール（７２０）によって受信される。アナログ信号受信モジュール（７２０）は、アナログ搬送波モジュール（７４０）に接続される。アナログ搬送波モジュール（７４０）は、正弦波搬送波（６１２）を生成するように構成される。正弦波搬送波（６１２）は、限定はしないが、１つ又は複数の波サイクル（１０４）を含み得る。１つ又は複数の波サイクル（１０４）は、限定はしないが、１つ又は複数のサイン波サイクル（１０６）或いは１つ又は複数のゼロ電圧サイクル（１１０）或いは１つ又は複数の基準サイクルであり得る。１つ又は複数のサイン波サイクル（１０６）は、限定はしないが、半波サイクル（１０８）又は全波サイクル（１０７）であり得る。１つ又は複数のゼロ電圧サイクル（１１０）は、限定はしないが、ゼロ振幅と、所定の位相角と、所定の周波数と、所定の時間期間と、それらの組合せとを備えるグループから選択された特徴を有し得る。
【０１７９】
あらかじめ定義された周波数範囲は、限定はしないが、ＥＬＦ、ＶＬＦ、ＬＦ、ＭＦ、ＨＦ、ＶＨＦ、ＵＨＦ、ＳＨＦ、ＥＨＦ帯域（３ｈｚ〜３００Ｇｈｚ）を含むべきである。振幅範囲は、限定はしないが、０ボルト〜１×１０９ボルトを含むべきである。位相範囲は、限定はしないが、０〜ｎπ位相角を含むべきである。時間期間範囲は、限定はしないが、０秒〜１×１０６秒を含むべきである。
【０１８０】
本発明の一実施例によれば、アナログ信号受信モジュール（７２０）は、１つ又は複数のアナログ変調信号（７０２）を受信するように構成される。図２９は、アナログ信号受信モジュール（７２０）を示す。アナログ信号受信モジュール（７２０）は、限定はしないが、アナログ−デジタル変換器（７２２）と、データ・バイト生成器（７２４）と、基準発振器（７２８）と、データ−位相変換器（７３０）と、キャリア及びブロック・クロック生成器（７２６）とを備え、それらであり得る。アナログ受信機は、１つ又は複数のアナログ変調信号（７０２）を受信する。アナログ受信機は、データ・バイト生成器（７２４）と接続される。データ・バイト生成器（７２４）は、キャリア・クロック及びブロック・クロック生成器（７２６）とさらに接続される。キャリア及びブロック・クロック生成器（７２６）は、基準発振器（７２８）と接続される。データ・バイト生成器（７２４）は、データ−位相変換器（７３０）とさらに接続される。
【０１８１】
本発明の一実施例によれば、アナログ信号受信モジュール（７２０）は、データ−位相変換器（７３０）を介してアナログ搬送波モジュール（７４０）にさらに接続される。図３０は、アナログ搬送波モジュール（７４０）を示す。アナログ搬送波モジュール（７４０）は、あらかじめ定義された位相をもつデータ０°〜３６０°サイクル生成器（７４２）を備える。データ０°〜３６０°サイクル生成器（７４２）は、接地中心矩形波生成器（７４４）と接続される。接地中心矩形波生成器（７４４）は、矩形−サイン波変換器（７４５）と接続される。矩形−サイン波変換器（７４５）は、キャリア限定パス・フィルタ（７４６）に接続される。データ０°〜３６０°サイクル生成器（７４２）は、キャリア及びブロック・クロック生成器（７４８）とさらに接続される。キャリア及びブロック・クロック生成器（７４８）は、基準０°〜３６０°サイクル生成器（７４７）とさらに接続される。基準０°〜３６０°サイクル生成器（７４７）は、接地中心矩形波生成器（７４４）とさらに接続される。図３１は、本発明の一実施例による、位相制御された正弦波サイクル（１０４）生成を示すいくつかの波形を示す。
【０１８２】
送信システムは、限定はしないが、特定の実装形態に適したエンコーダ、デコーダ、暗号化、ＤＳＰ、圧縮、イコライザ、エンファシス、リミッタ、圧縮器、マルチプレクサ、アップ／ダウン変換器、シンクロナイザ、ａｄｃ、ｄａｃ、サンプル・アンド・ホールド、乗算器、分割器、遅延、補償器、コンバイナ、分割器、直接デジタル合成、メモリ、任意の波形生成器、スイッチング、フィルタ、周波数合成、関数生成器、変調器、補間器、有限インパルス応答、インテグレータ、信号再構成器、インテグレータ、発振器、乗算器、順方向補正、事前補正などから選択された、入力信号を処理するための１つ又は複数の処理モジュール（１１５６）を含み得る。
【０１８３】
デジタル受信機［システム］
図３２は、本発明の一実施例による、正弦波搬送波（６１２）をデジタル信号に変換するために正弦波搬送波（６１２）を受信するためのシステムを示す。システムは、フロント・エンド（１６５２）を備える。フロント・エンド（１６５２）は、限定はしないが、狭同調フロント・エンド（１６５２）と、バンド・パス・フィルタとを備え、それらであり得る。フロント・エンド（１６５２）は、安定化モジュール（１６５４）に接続される。安定化モジュール（１６５４）は、限定はしないが、周波数選択インターフェースと、発振器と、第１のミキサとを備え、それらであり得る。安定化モジュールは、正弦波を上側又は下側の中間周波数に変換するためのヘテロダイン・プロセスを有し得る。安定化モジュール（１６５４）は、処理モジュール（１６５６）に接続される。処理モジュール（１６５６）は、限定はしないが、同調ＩＦ増幅器を備え、それであり得る。処理モジュール（１６５６）は、復元モジュール（１６５８）に接続される。復元モジュール（１６５８）は、限定はしないが、クロック復元と、広帯域ＰＭ検出器と、位相−データ変換器と、ベースバンド・マルチチャネル復号とを備え、それらであり得る。復元モジュール（１６５８）は、出力ドライバ（１６６０）に接続される。
【０１８４】
システム（１００）は、１つ又は複数のモジュールを含み得、限定はしないが、特定の実装形態に適したエンコーダ、デコーダ、解読、ＤＳＰ、圧縮解除、デイコライザ、デエンファシス、デリミタ、圧縮解除器、デマルチプレクサ、アップ／ダウン変換器、シンクロナイザ、ＡＤＣ、ＤＡＣ、乗算器、分割器、遅延、補償器、コンバイナ、メモリ・モジュール、任意の波形生成器、スイッチング、フィルタ処理、周波数合成、復調器、補間器、有限インパルス応答処理、ディスインテグレータ、発振器、信号再構成器などから選択され得る。
【０１８５】
アナログ受信機システム
図３３は、本発明の一実施例による、正弦波搬送波（６１２）をアナログ信号に変換するために正弦波搬送波（６１２）を受信するためのシステムを示す。システムは、フロント・エンド（１７５２）を備える。フロント・エンド（１７５２）は、限定はしないが、狭同調フロント・エンド（１７５２）と、バンド・パス・フィルタとを備え、それらであり得る。フロント・エンド（１７５２）は、安定化モジュール（１７５４）に接続される。安定化モジュール（１７５４）は、限定はしないが、周波数選択インターフェースと、発振器と、第１のミキサとを備え、それらであり得る。安定化モジュールは、正弦波を上側又は下側の中間周波数に変換するためのヘテロダイン・プロセスを有し得る。安定化モジュール（１７５４）は、処理モジュール（１７５６）に接続される。処理モジュール（１７５６）は、限定はしないが、同調ＩＦ増幅器を備え、それであり得る。処理モジュール（１７５６）は、復元モジュール（１７５８）に接続される。復元モジュール（１７５８）は、限定はしないが、クロック復元と、広帯域ＰＭ検出器と、位相−電圧変換器と、ベースバンド・マルチチャネル復号とを備え、それらであり得る。復元モジュール（１７５８）は、出力ドライバ（１７６０）に接続される。
【０１８６】
システム（１００）は、１つ又は複数のモジュールを含み得、限定はしないが、特定の実装形態に適したエンコーダ、デコーダ、解読、ＤＳＰ、圧縮解除、デイコライザ、デエンファシス、デリミタ、圧縮解除器、デマルチプレクサ、アップ／ダウン変換器、シンクロナイザ、ＡＤＣ、ＤＡＣ、乗算器、分割器、遅延、補償器、コンバイナ、メモリ・モジュール、任意の波形生成器、スイッチング、フィルタ処理、周波数合成、復調器、補間器、有限インパルス応答処理、ディスインテグレータ、発振器、信号再構成器などから選択され得る。
【０１８７】
本発明は以下の様式で動作する。
【０１８８】
図２４は、搬送波の位相特性を制御する搬送波システムを示す。１つ又は複数の変調信号を受信するように構成された受信モジュール（６２０）。１つ又は複数の変調信号は、１つ又は複数のアナログ信号と、１つ又は複数のデジタル信号と、それらの組合せとを備えるグループから選択され得る。１つ又は複数の変調信号は、１つ又は複数の振幅と、１つ又は複数の周波数と、１つ又は複数の時間期間と、１つ又は複数の位相角と、それらの組合せとを備えるグループから選択された特徴を有し得る。受信モジュールは、限定はしないが、デジタル信号受信モジュール、アナログ信号受信モジュール、及びそれらの組合せであり得る。
【０１８９】
１つ又は複数の変調信号の１つ又は複数の値による１つ又は複数のゼロ電圧交差点において、所定の位相を有する１つ又は複数の波サイクル（１０４）を含む、正弦波搬送波（６１２）を生成するように構成された搬送波モジュール（６４０）。搬送波モジュールは、限定はしないが、デジタル搬送波モジュール、アナログ搬送波モジュール、及びそれらの組合せであり得る。
【０１９０】
デジタル生成器［動作］
１つ又は複数の変調信号が、図２４に関する、１つ又は複数のデジタル変調信号である場合、１つ又は複数のデジタル変調信号（６０２）は、デジタル信号受信モジュール（６２０）によって受信される。図２５に関するデジタル信号受信モジュール（６２０）は、デジタル受信機（６２２）を介して１つ又は複数のデジタル変調信号（６２０）を受信する。デジタル受信機（６２２）を通る１つ又は複数のデジタル変調信号（６０２）は、データ・バイト生成器（６２４）に達する。データ・バイト生成器（６２４）は、キャリア及びブロック・クロック生成器（６２６）からの基準をもつデータを生成し、そのデータは、基準発振器（６２８）の助けをかりてキャリア周波数と同期される。データ・バイト生成器（６２４）からのデータであり、次いで、データ−位相変換器（６３０）においてデータを位相データに処理し、それを位相に変換する。
【０１９１】
データ−位相変換器（６３０）からの処理されたデータは、次いで、図２６に関する、データ０°〜３６０°サイクル生成器（６４２）によって受信され、データ０°〜３６０°サイクル生成器（６４２）は、キャリア及びブロック・クロック生成器（６４４）と基準０°〜３６０°サイクル生成器（６４６）との助けをかりて、１つ又は複数のデジタル変調信号（６０２）の値に基づいて、処理された位相に基づいてサイクルを生成する。接地中心矩形波生成器（６４７）はまた、基準０°〜３６０°サイクル生成器（６４６）によって生成されたサイクルに基づいて矩形波を変換する。矩形−サイン波変換器（６４８）が、矩形波を搬送サイン波に変換する。キャリア限定パス・フィルタ（６４９）が、正弦波搬送波を受信する。キャリア限定パス・フィルタ（６４９）は、正弦波搬送波（６１２）を生成する搬送波のみを通すように構成される。図２７は、上述のシステムによって生成された波形を示す。
【０１９２】
アナログ生成器［動作］
１つ又は複数の変調信号が、図２８に関する１つ又は複数のアナログ変調信号である場合、１つ又は複数のアナログ変調信号は、アナログ信号受信モジュール（７２０）によって受信される。図２９に関するアナログ信号受信モジュール（７２０）は、１つ又は複数のアナログ変調信号（７０２）を受信する。１つ又は複数のアナログ変調信号は、アナログ−デジタル変換器（７２２）によってデジタルに変換される。アナログ−デジタル変換器（７２２）は、ゼロ・バイト・クロックに同期され得、データ・バイト生成器（７２４）に達する。データ・バイト生成器（７２４）は、Ａ−Ｄ変換器出力を処理して、データをキャリア及びブロック・クロック生成器（７２６）からの基準に同期させ、そのデータは、基準発振器（７２８）の助けをかりて、キャリア波サイクル（１０４）のゼロ電圧交差と同期される。データ・バイト生成器（７２４）からのデータであり、次いで、データ−位相変換器（７３０）において処理し、位相に変換する。
【０１９３】
データ−位相変換器（７３０）からの処理されたデータは、次いで、図３０に関するデータ０°〜３６０°サイクル生成器（７４２）によって受信され、データ０°〜３６０°サイクル生成器（７４４）は、キャリア及びブロック・クロック生成器（７４８）と基準０°〜３６０°サイクル生成器（７４７）との助けをかりて、Ａ−Ｄ変換器（７２２）からの処理された位相データ、１つ又は複数のアナログ変調信号（７０２）に基づいて、サイクルを生成する。接地中心矩形波生成器（７４４）は、基準０°〜３６０°サイクル生成器（７４７）によって生成されたサイクルに基づいて矩形波を生成する。矩形−サイン波変換器（７４５）が、矩形波を正弦波搬送波（６１２）に変換する。キャリア限定パス・フィルタ（７４６）が、搬送波を受信する。キャリア限定パス・フィルタ（７４６）は、正弦波搬送波（６１２）を生成する搬送波のみを通すように構成される。図３１は、正弦波サイクル（１０４）の波形を示す。
【０１９４】
デジタル受信機［動作］
デジタル搬送波モジュールによって作り出された正弦波搬送波（６１２）は、次いで、正弦波搬送波（６１２）を受信するためのシステムによって、及び図３２に示されているように正弦波搬送波（６１２）をデジタル信号に変換するために、受信される。正弦波搬送波（６１２）は、フロント・エンド（１６５２）によって受信される。フロント・エンド（１６５２）は、１つ又は複数の正弦波搬送波（６１２）を受信するように構成され、１つ又は複数の正弦波搬送波（６１２）を受信し、増幅することと、１つ又は複数の搬送波周波数を選択することとを含む。フロント・エンド（１６５２）からの得られた正弦波搬送波（６１２）は、安定化モジュール（１６５４）によって受信される。安定化モジュール（１６５４）は、１つ又は複数の正弦波搬送波（６１２）を最適化するように構成され、それは、限定はしないが、受信された１つ又は複数の正弦波搬送波（６１２）を安定化することと、安定化された１つ又は複数の正弦波搬送波（６１２）をフィルタ処理することと、１つ又は複数の正弦波搬送波（６１２）から雑音及び干渉を除去することとを含み得る。最適化された正弦波搬送波（６１２）は、次いで、処理モジュール（１６５６）によって受信される。処理モジュール（１６５６）は、１つ又は複数の正弦波搬送波（６１２）を処理するように構成される。処理モジュール（１６５６）は、フィルタ処理された正弦波搬送波を増幅することと、利得を制御することと、ヘテロダイン・プロセスによって上側又は下側の中間周波数を生成することとを行うようにさらに構成され得る。
【０１９５】
ここで、処理モジュール（１６５６）は、フィルタ処理された正弦波搬送波を増幅することと、利得を制御することと、情報を復調することとを行うように構成され、処理モジュール（１６５６）は、１つ又は複数の正弦波搬送波（６１２）を１つ又は複数のパルスに変換するようにさらに構成される。
【０１９６】
処理モジュール（１６５６）は、１つ又は複数の正弦波搬送波（６１２）を処理するようにさらに構成され、１つ又は複数の正弦波搬送波（６１２）の１つ又は複数の波サイクル（１０４）の各々の１つ又は複数の特性の値を決定するために、限定はしないが、ゼロ電圧交差点において１つ又は複数の正弦波搬送波（６１２）の１つ又は複数の波サイクル（１０４）の各々の１つ又は複数の特性を分析することをさらに含む。処理の後に、処理モジュール（１６５６）からの１つ又は複数の正弦波搬送波（６１２）は、信号を復調するために復元モジュール（１６５８）によって受信される。１つ又は複数の正弦波搬送波（６１２）から信号を復元するように構成された復元モジュール（１６５８）は、１つ又は複数の波サイクル（１０４）から信号を復元することをさらに含む。１つ又は複数の正弦波搬送波（６１２）からの復元された信号は、次いで、出力ドライバ（１６６０）によって受信される。１つ又は複数の出力信号を提供するように構成された出力ドライバ（１６６０）は、１つ又は複数の出力信号を形成するために、復元された信号を提供することを含む。
【０１９７】
アナログ受信機［動作］
アナログ搬送波モジュールによって作り出された正弦波搬送波（６１２）は、次いで、正弦波搬送波（６１２）を受信するためのシステムによって、及び図３３に示されているように正弦波搬送波（６１２）をアナログ信号に変換するために、受信される。正弦波搬送波（６１２）は、フロント・エンド（１７５２）によって受信される。フロント・エンド（１７５２）は、１つ又は複数の正弦波搬送波（６１２）を受信するように構成され、１つ又は複数の正弦波搬送波（６１２）を受信し、増幅することと、１つ又は複数の搬送波周波数を選択することとを含む。フロント・エンド（１７５２）からの得られた正弦波搬送波（６１２）は、安定化モジュール（１７５４）によって受信される。安定化モジュール（１７５４）は、１つ又は複数の正弦波搬送波（６１２）を最適化するように構成され、それは、限定はしないが、受信された１つ又は複数の正弦波搬送波（６１２）を安定化することと、安定化された１つ又は複数の正弦波搬送波（６１２）をフィルタ処理することと、１つ又は複数の正弦波搬送波（６１２）から雑音及び干渉を除去することとを含み得る。最適化された正弦波搬送波（６１２）は、次いで、処理モジュール（１７５６）によって受信される。処理モジュール（１７５６）は、１つ又は複数の正弦波搬送波（６１２）を処理するように構成される。処理モジュール（１７５６）は、フィルタ処理された正弦波搬送波を増幅することと、利得を制御することと、ヘテロダイン・プロセスによって上側又は下側の中間周波数を生成することとを行うようにさらに構成され得る。
【０１９８】
ここで、処理モジュール（１７５６）は、フィルタ処理された正弦波搬送波を増幅することと、利得を制御することと、情報を復調することとを行うように構成され、処理モジュール（１７５６）は、１つ又は複数の正弦波搬送波（６１２）を１つ又は複数のパルスに変換するようにさらに構成される。
【０１９９】
処理モジュール（１７５６）は、１つ又は複数の正弦波搬送波（６１２）を処理するようにさらに構成され、１つ又は複数の正弦波搬送波（６１２）の１つ又は複数の波サイクル（１０４）の各々の１つ又は複数の特性の値を決定するために、限定はしないが、ゼロ電圧交差点において１つ又は複数の正弦波搬送波（６１２）の１つ又は複数の波サイクル（１０４）の各々の１つ又は複数の特性を分析することをさらに含む。処理の後に、処理モジュール（１７５６）からの１つ又は複数の正弦波搬送波（６１２）は、信号を復調するために復元モジュール（１７５８）によって受信される。１つ又は複数の正弦波搬送波（６１２）から信号を復元するように構成された復元モジュール（１７５８）は、１つ又は複数の波サイクル（１０４）から信号を復元することをさらに含む。１つ又は複数の正弦波搬送波（６１２）からの復元された信号は、次いで、出力ドライバ（１７６０）によって受信される。１つ又は複数の出力信号を提供するように構成された出力ドライバ（１７６０）は、１つ又は複数の出力信号を形成するために、復元された信号を提供することを含む。
【０２００】
ＦＤＭ／ＱＡＭ変調器が以下のように説明されている。
【０２０１】
図３４は、本発明の一実施例による、変調信号を受信し、正弦波搬送波を生成するためのシステム（２０００）を示す。アナログ信号は、受信モジュール（１２０）によって受信される。受信モジュールは、限定はしないが、入力プロセッサを有し得、Ａ−Ｄ変換を有し得る。デジタル信号は、デジタル受信機によって受信され、入力プロセッサに接続される。入力プロセッサは、限定はしないが、周波数データ及び又は振幅データ及び又は位相データ及び又はタイミング・データを生成するためのデータ処理を含み得る。
【０２０２】
本発明の一実施例による、正弦波搬送波を生成するための変調信号を受信するためのシステム（２０００）は、限定はしないが、内部精度発振器又はＧＰＳ基準を含み得る基準発振器を有し得る搬送波モジュール（１４０）をさらに含む。この基準発振器は、限定はしないが、直接デジタル・シンセサイザを含み得るキャリア・クロック生成器を駆動する。このクロック生成器は、生成モジュールのために１つ又は複数の基準クロックを生成し得る。生成モジュールは、限定はしないが、限定はしないが周波数データプロセッサ、位相データプロセッサ及び振幅データプロセッサを駆動するように構成された、周波数データ分割器、位相データ分割器、振幅データ分割器から選択された１つ又は複数のモジュールを含み得る。これらの個々のプロセッサは、正弦波搬送波のゼロ交差をもつ信号／データを最適化するように構成される。処理されたデータは、限定はしないが、１つ又は複数の変調信号に従って周波数及び／又は位相及び／又は振幅及び／又はタイミング特性を制御する、１つ又は複数の正弦波サイクル（１０４）についてのデータを生成するＤＳＰプロセッサ／ＦＰＧＡによって受信され得る。本発明の一実施例によれば、ＤＳＰ／ＦＰＧＡの出力は、１つ又は複数の周波数と、１つ又は複数の振幅と、１つ又は複数の位相角と、１つ又は複数のゼロ・サイクルとを有するデータを含んでおり、すべての個々のキャリア波サイクル（１０４）は、限定はしないがゼロ交差点において開始し、限定はしないが搬送波のゼロ交差点において終わる。ＤＳＰの出力は、限定はしないが、Ｄ−Ａ変換器によってアナログ搬送波に変換され得る。Ｄ−Ａ変換器の出力は、キャリア限定パス・フィルタを通過し得る。
【０２０３】
本発明は以下の様式で動作する。
【０２０４】
１つ又は複数の変調信号を受信するように構成された受信モジュール（１２０）。１つ又は複数の変調信号は、１つ又は複数のアナログ信号と、１つ又は複数のデジタル信号と、それらの組合せとを備えるグループから選択され得る。１つ又は複数の変調信号は、１つ又は複数の振幅と、１つ又は複数の周波数と、１つ又は複数の時間期間と、１つ又は複数の位相角と、それらの組合せとを備えるグループから選択された特徴を有し得る。受信モジュール（１２０）は、限定はしないが、デジタル信号受信モジュール又はアナログ信号受信モジュール又はそれらの組合せであり得る。
【０２０５】
１つ又は複数の変調信号の１つ又は複数の値による１つ又は複数のゼロ電圧交差点において、所定の１つ又は複数の特性を有する１つ又は複数の波サイクル（１０４）を含む、正弦波搬送波を生成するように構成された搬送波モジュール（１４０）。１つ又は複数の生成されたサイン波サイクル（１０６）は、限定はしないが、ゼロ電圧交差点において開始し、限定はしないが、連続するゼロ電圧交差点において終わり、一定のサイン波特性をもつサイクルを完了するように構成される。１つ又は複数の正弦波搬送波の１つ又は複数の波サイクル（１０４）の各々の１つ又は複数の特性は、限定はしないが、１つ又は複数の所定の振幅と、１つ又は複数の所定の周波数と、１つ又は複数の所定の位相角と、１つ又は複数の所定の時間期間と、それらの組合せとを備えるグループから選択され得る。搬送波モジュールは、限定はしないが、デジタル搬送波モジュール又はアナログ搬送波モジュールであり得る。
【０２０６】
受信機［システム］
図３５は、本発明の一実施例による、正弦波搬送波を受信し、正弦波搬送波を信号に変換するためのシステム（３０００）を示す。フロント・エンド（１１５２）モジュールは、正弦波を受信し、周波数を選択する。選択された周波数は、さらに増幅され、選択性と強度とを改善するためにバンド・パス・フィルタを通過させられる。フロント・エンド（１１５２）モジュールは、限定はしないが、ＧＵＩをもつデジタル周波数選択モジュールを含み得る。復元を最適化するために、フロント・エンド（１１５２）モジュールは、ＡＧＣに限定されないことがある利得制御を含み得る。フロント・エンド（１１５２）による受信された正弦波は、干渉と雑音とを低減し、さらに信号を拡張するために、１つ又は複数の混合段に接続され、その後に、同調ＩＦ増幅器が続き得る。同調ＩＦ増幅器は、１つ又は複数の検出器を含み得、出力は、限定はしないが、Ａ−Ｄ変換器に接続され得る。Ａ−Ｄ変換器出力は、基準クロックの復元のために使用され、限定はしないが、ＤＳＰ／ＦＰＧＡを駆動し得る。デジタル信号処理又はアナログ信号処理が、周波数、位相、振幅又はタイミング及びそれらの組合せから選択された１つ又は複数の特性を復号することよって、１つ又は複数の波サイクル（１０４）からなる１つ又は複数の受信された信号を処理するために使用され得る。ＤＳＰ／ＦＰＧＡからの信号は、処理された位相、周波数、振幅及びタイミング特性からのデータを復号し得るデータ復元セクションによってさらに受信されることになり、データ復元モジュール（１１５８）は、アナログ及びデジタル信号出力を駆動するようにデータを処理することができる、データ処理に接続される。
【０２０７】
受信機方法
搬送波モジュールによって作り出された正弦波搬送波は、次いで、正弦波搬送波を信号に変換するために正弦波搬送波を受信するための受信機システムによって受信される。正弦波搬送波は、フロント・エンド（１１５２）によって受信される。フロント・エンド（１１５２）は、１つ又は複数の正弦波搬送波を受信するように構成され、１つ又は複数の正弦波搬送波を受信し、増幅することと、１つ又は複数の搬送波周波数を選択することとを含む。フロント・エンド（１１５２）からの得られた正弦波搬送波は、安定化モジュール（１１５４）によって受信される。安定化モジュール（１１５４）は、１つ又は複数の正弦波搬送波を最適化するように構成され、それは、限定はしないが、受信された１つ又は複数の正弦波搬送波を安定化することと、安定化された１つ又は複数の正弦波搬送波をフィルタ処理し、増幅することと、１つ又は複数の正弦波搬送波から雑音及び干渉を除去することとを含み得る。最適化された正弦波搬送波は、処理モジュール（１１５６）によって受信され得る。処理モジュール（１１５６）は、１つ又は複数の正弦波搬送波を処理するように構成される。処理モジュール（１１５６）は、フィルタ処理された正弦波搬送波を増幅し、利得を制御及び最適化するようにさらに構成され、ヘテロダイン・プロセスによって上側又は下側の中間周波数を生成し得る。
【０２０８】
ここで、処理モジュール（１１５６）は、フィルタ処理された正弦波搬送波を増幅することと、利得を制御することと、情報を復調することとを行うように構成され、処理モジュール（１１５６）は、１つ又は複数の正弦波搬送波を１つ又は複数のパルスに変換するようにさらに構成され得る。
【０２０９】
処理モジュール（１１５６）は、１つ又は複数の正弦波搬送波を処理するようにさらに構成され、１つ又は複数の正弦波搬送波の１つ又は複数の波サイクル（１０４）の各々の１つ又は複数の特性の値を決定するために、ゼロ電圧交差点の間の１つ又は複数の正弦波搬送波の１つ又は複数の波サイクル（１０４）の各々の１つ又は複数の特性を分析することをさらに含む。処理の後に、処理モジュール（１１５６）からの１つ又は複数の正弦波搬送波は、復元モジュール（１１５８）によって受信される。１つ又は複数の正弦波搬送波サイクルから信号を復元するように構成された復元モジュール（１１５８）。１つ又は複数の正弦波搬送波からの復元された信号は、次いで、出力ドライバ（１１６０）によって受信される。１つ又は複数の出力信号を提供するように構成された出力ドライバ（１１６０）は、１つ又は複数の出力信号を形成するために、復元された信号を提供する。
【０２１０】
位相、振幅及び周波数動作
本発明の一実施例によれば、ここで、位相、振幅又は周波数を備えるグループから選択された２つ以上の特性が、正弦波搬送波上の信号を変調するように制御される。一実施例では、１つ又は複数の変調信号は、１つ又は複数のアナログ変調信号及び／或いは１つ又は複数のデジタル変調信号であり、１つ又は複数の変調信号は、１つ又は複数の受信モジュールによって受信される。受信モジュールは、１つ又は複数の変調信号を受信する。受信された１つ又は複数のアナログ／デジタル変調信号は、搬送波のゼロ電圧交差点において信号の適用を達成するために、限定はしないが、アナログ−デジタル変換器、デジタル・サンプル・レート変換器、シンクロナイザから選択された１つ又は複数のモジュール、並びにキャリア周波数及び／又はブロック周波数にデータを同期させるための他のプロセス、バイト生成を通過させられ得る。信号から位相／周波数／振幅プロセッサへの処理された信号は、次いで、データ０°〜３６０°サイクル生成器によって受信され、データ０°〜３６０°サイクル生成器は、０°〜３６０°サイクル生成器の助けをかりて、１つ又は複数の変調信号に基づいて搬送波サイクル（１０４）を生成する。接地中心矩形波生成器は、基準０°〜３６０°サイクル生成器によって生成されたサイクルに基づいて矩形波を生成する。矩形−サイン波変換器が、矩形波を正弦波搬送波に変換する。キャリア限定パス・フィルタが、搬送波を受信する。キャリア限定パス・フィルタは、正弦波搬送波を生成する搬送波のみを通すように構成される。
【０２１１】
本発明の一実施例によれば、ここで、位相及び／又は振幅及び／又は周波数特性の変動が、正弦波搬送波中の変調された信号を表す。搬送波は、正弦波搬送波をデジタル及び又はアナログ信号に変換するために正弦波搬送波に受信するためのシステムによって受信される。正弦波搬送波は、フロント・エンド（１１５２）によって受信される。フロント・エンド（１１５２）は、１つ又は複数の正弦波搬送波を受信するように構成され、１つ又は複数の正弦波搬送波を受信し、増幅することと、１つ又は複数の搬送波周波数を選択することとを含む。フロント・エンド（１１５２）からの得られた受信された正弦波搬送波は、安定化モジュール（１１５４）によってさらに受信される。安定化モジュール（１１５４）は、１つ又は複数の正弦波搬送波を最適化するように構成され、それは、受信された１つ又は複数の正弦波搬送波を安定化することと、安定化された１つ又は複数の正弦波搬送波をフィルタ処理することと、１つ又は複数の正弦波搬送波から雑音及び干渉を除去することとを含み得る。最適化された正弦波搬送波は、次いで、処理モジュール（１１５６）によって受信される。処理モジュール（１１５６）は、１つ又は複数の正弦波搬送波を処理するように構成される。処理モジュール（１１５６）は、フィルタ処理された正弦波搬送波を増幅するようにさらに構成され、さらに、ヘテロダイン・プロセスによって上側又は下側の中間周波数を生成し得る。
【０２１２】
処理モジュール（１１５６）は、１つ又は複数の正弦波搬送波を処理するようにさらに構成され、１つ又は複数の正弦波搬送波の１つ又は複数の波サイクル（１０４）の各々の１つ又は複数の特性の値を決定するために、１つ又は複数の正弦波搬送波のゼロ電圧交差点の間の１つ又は複数の波サイクル（１０４）の各々の１つ又は複数の特性を分析することを含む。処理の後に、処理モジュール（１１５６）からの１つ又は複数の正弦波搬送波は、信号を復調するために、復元モジュール（１１５８）によって受信される。１つ又は複数の正弦波搬送波から信号を復元するように構成された復元モジュール（１１５８）は、１つ又は複数の波サイクル（１０４）から信号を復元することをさらに含む。１つ又は複数の正弦波搬送波からの復元された信号は、次いで、それの元のアナログ及び又はデジタル信号形式における元の変調信号を再構成するベースバンド・プロセッサによって受信される。再構成された信号は、次いで、出力ドライバ（１１６０）に接続される。１つ又は複数の出力信号を形成するためにデジタル及び／又はアナログ形式で、復元された信号からの１つ又は複数の出力信号を提供するように構成された出力ドライバ（１１６０）。
【０２１３】
含まれる異なる変調タイプが、発明された方法を使用するかなりの帯域幅要件の低減において恩恵を受けることができ、限定はしないが以下の通りである。
【表１−１】
2021528910.tif 000003
【表１−２】
2021528910.tif 000004
【０２１４】
本発明は様々な利点を有する。システムは、ゼロまでの帯域幅をもつ狭いチャネル中でのデータと高帯域幅信号との送信のソリューションを提供することができる。別の利点は、ゼロ側波帯を作り出すことを含み、それにより、キャリア周波数自体が、莫大な量のデータと他の信号を搬送し、スペクトル帯域幅のより良好な利用を提供する。言い換えれば、より多くの情報が、単一の周波数までの限られたスペクトルを使用して送信され得る。
【０２１５】
これらの実施例に対する様々な変更形態が、説明及び添付の図面から当業者に明らかである。送信及び受信アンテナのような補助するものが、システムを完成するために含まれ得る。本明細書で説明される様々な実施例に関連する原理は、他の実施例に適用され得る。したがって、説明は、添付の図面とともに示された実施例に限定されるものではなく、本明細書で開示又は示唆される原理並びに新規及び発明的特徴に合致する最も広い範囲を与えるものである。デジタル信号及びアナログ信号への言及は、それらの組合せを含み、また、１つ及び／又は複数への言及は、特定の用語において分数値を含むことが意味される。搬送波の生成（ｇｅｎａｒａｔｉｏｎ）は、作り出す（ｐｒｏｄｕｃｉｎｇ）、作成する（ｃｒｅａｔｉｎｇ）のような他の同様のコンテキストの意味の単語を含むべきである。したがって、本発明は、本発明の範囲内に入るすべての他のそのような代替形態、変更形態及び変形形態に対して成り立つことが予期される。
【０２１６】
概して、本明細書で使用される、「モジュール」という単語は、ハードウェア又はファームウェアで具現される論理、或いは、たとえば、Ｊａｖａ、Ｃ又はアセンブリなど、プログラミング言語で書かれた、ソフトウェア命令の集合を指す。モジュール中の１つ又は複数のソフトウェア命令が、ＥＰＲＯＭなど、ファームウェアに埋め込まれ得る。モジュールが、ゲート及びフリップフロップなど、接続された論理ユニットを備え得、プログラマブル・ゲート・アレイ又はプロセッサなど、プログラマブル・ユニットを備え得ることが、諒解されよう。本明細書で説明されるモジュールは、ソフトウェア・モジュール及び／又はハードウェア・モジュールのいずれかとして実装され得、任意のタイプのコンピュータ可読媒体又は他のコンピュータ・ストレージ・デバイスに記憶され得る。
【０２１７】
さらに、１つ又は複数の動作が、いくつかのモジュール、デバイス又はエンティティによって実施されるものとして、又は場合によってはそれらに関係するものとして説明され、動作は、任意のモジュール、デバイス又はエンティティによって実施され得、又は場合によってはそれに関係するものであり得る。したがって、モジュールによって実施されるものとして説明された任意の機能又は動作が、異なるサーバによって、クラウド・コンピューティング・プラットフォーム、又はそれらの組合せによって、代替的に実施され得る。
【０２１８】
さらに、動作は、開示された順序で実施される必要はないが、いくつかの実例では、ある順序が選好され得る。また、開示されるシステム及び方法の所望の利点を達成するために、すべての機能が実施される必要があるとは限らず、したがって、すべての機能が必要とされるとは限らない。
【０２１９】
これらの実施例に対する様々な変更が、説明及び添付の図面から当業者に明らかである。本明細書で説明される様々な実施例に関連する原理は、他の実施例に適用され得る。したがって、説明は、添付の図面とともに示された実施例に限定されるものではなく、本明細書で開示又は示唆される原理並びに新規及び発明的特徴に合致する最も広い範囲を与えるものである。したがって、本発明は、本発明及び添付の特許請求の範囲の範囲内に入るすべての他のそのような代替形態、変更形態、及び変形形態に対して成り立つことが予期される。
【図１】
2021528910.tif 000005
【図２】
2021528910.tif 000006
【図３】
2021528910.tif 000007
【図４】
2021528910.tif 000008
【図５】
2021528910.tif 000009
【図６】
2021528910.tif 000010
【図７】
2021528910.tif 000011
【図８】
2021528910.tif 000012
【図９】
2021528910.tif 000013
【図１０】
2021528910.tif 000014
【図１１】
2021528910.tif 000015
【図１２】
2021528910.tif 000016
【図１３】
2021528910.tif 000017
【図１４】
2021528910.tif 000018
【図１５】
2021528910.tif 000019
【図１６】
2021528910.tif 000020
【図１７】
2021528910.tif 000021
【図１８】
2021528910.tif 000022
【図１９】
2021528910.tif 000023
【図２０】
2021528910.tif 000024
【図２１】
2021528910.tif 000025
【図２２】
2021528910.tif 000026
【図２３】
2021528910.tif 000027
【図２４】
2021528910.tif 000028
【図２５】
2021528910.tif 000029
【図２６】
2021528910.tif 000030
【図２７】
2021528910.tif 000031
【図２８】
2021528910.tif 000032
【図２９】
2021528910.tif 000033
【図３０】
2021528910.tif 000034
【図３１】
2021528910.tif 000035
【図３２】
2021528910.tif 000036
【図３３】
2021528910.tif 000037
【図３４】
2021528910.tif 000038
【図３５】
2021528910.tif 000039
【図３６】
2021528910.tif 000040
【図３７】
2021528910.tif 000041
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
ゼロ側波帯を伴う搬送周波数自体を使用する、信号の送信のための方法（１０００）であって、前記方法が、
１つ又は複数の変調信号を受信するステップ（１０２０）と、
前記１つ又は複数の変調信号の１つ又は複数の値による１つ又は複数のゼロ電圧交差点において完全なサイン波サイクルごとに定義される、１つ又は複数の特性を有する１つ又は複数のサイン波サイクル（１０４）を含む、ゼロ側波帯を伴う１つ又は複数の変調された正弦波搬送波（１１２）を、サイクルごとのステップにおいて生成するステップ（１０４０）と
を含み、
前記１つ又は複数のサイン波サイクル（１０４）が、１つ又は複数のサイン波サイクル（１０６）と、１つ又は複数のゼロ電圧サイクル（１１０）と、半波サイクル（１０８）と、１つ又は複数の基準サイクルと、それらの組合せとを備えるグループから選択され、
前記１つ又は複数のサイン波サイクル（１０４）の各サイクルは、前記ゼロ側波帯を伴う前記１つ又は複数の変調された正弦波搬送波（１１２）の前記１つ又は複数のサイン波サイクル（１０４）が、前記１つ又は複数のゼロ電圧交差点において開始し、あらかじめ定義された期間の後の連続する前記１つ又は複数のゼロ電圧交差点において終了するように構成された場合、達成され、
前記ゼロ側波帯を伴う前記１つ又は複数の変調された正弦波搬送波（１１２）の前記１つ又は複数のサイン波サイクル（１０４）の各サイクルの前記１つ又は複数の特性が、１つ又は複数のゼロ電圧交差点の各々のみにおける前記１つ又は複数のサイン波サイクル（１０４）の各完全なサイクルの完了後にのみ、前記１つ又は複数の変調信号の前記１つ又は複数の値に比例して各サイクルの開始時にのみ変わるように構成され、
前記ゼロ側波帯を伴う前記１つ又は複数の変調された正弦波搬送波（１１２）の前記１つ又は複数のサイン波サイクル（１０４）の各サイクルの前記１つ又は複数の特性が、前記１つ又は複数の変調信号の前記１つ又は複数の値を表し、
前記ゼロ側波帯を伴う前記１つ又は複数の変調された正弦波搬送波（１１２）の各サイクル（１０４）が、純粋なサイン波特性を保持するように構成されている、
方法（１０００）。
【請求項２】
前記１つ又は複数のゼロ電圧サイクル（１１０）が、ゼロ振幅と、あらかじめ定義された位相角と、あらかじめ定義された周波数と、所定の時間期間と、それらの組合せとを備えるグループから選択された特徴を有する前記ゼロ側波帯を伴う前記１つ又は複数の変調された正弦波搬送波（１１２）の１つ又は複数のサイクルである、請求項１に記載の方法（１０００）。
【請求項３】
前記１つ又は複数のゼロ電圧交差点は、前記ゼロ側波帯を伴う前記１つ又は複数の変調された正弦波搬送波（１１２）の位相角が０又はπの整数倍である点である、請求項１に記載の方法（１０００）。
【請求項４】
前記ゼロ側波帯を伴う前記１つ又は複数の変調された正弦波搬送波（１１２）が、導体、電磁波、及び光波を使用して、所定の距離まで進むように構成されている、請求項１に記載の方法（１０００）。
【請求項５】
前記ゼロ側波帯を伴う前記１つ又は複数の変調された正弦波搬送波（１１２）の前記１つ又は複数のサイン波サイクル（１０４）の各サイクルの前記１つ又は複数の特性が、１つ又は複数の可変の振幅と、１つ又は複数の可変の周波数と、１つ又は複数の可変の位相角と、１つ又は複数の可変の時間期間と、それらの組合せとを備えるグループから選択される、請求項１に記載の方法（１０００）。
【請求項６】
ゼロ側波帯を伴う搬送周波数自体を使用する、信号の送信のためのシステム（１００）であって、前記システム（１００）が、
１つ又は複数の変調信号を受信するように構成された受信モジュール（１２０）と、
前記１つ又は複数の変調信号の１つ又は複数の値による１つ又は複数のゼロ電圧交差点において完全なサイン波サイクルごとに定義される、１つ又は複数の特性を有する１つ又は複数のサイン波サイクル（１０４）を含む、ゼロ側波帯を伴う１つ又は複数の変調された正弦波搬送波を、サイクルごとのステップにおいて生成するように構成された生成モジュール（１４０）と
を備え、
前記１つ又は複数のサイン波サイクル（１０４）が、１つ又は複数のサイン波サイクル（１０６）と、１つ又は複数のゼロ電圧サイクル（１１０）と、半波サイクル（１０８）と、１つ又は複数の基準サイクルと、それらの組合せとを備えるグループから選択され、
前記１つ又は複数のサイン波サイクル（１０４）の各サイクルは、前記ゼロ側波帯を伴う前記１つ又は複数の変調された正弦波搬送波（１１２）の前記１つ又は複数のサイクルが、前記１つ又は複数のゼロ電圧交差点において開始し、あらかじめ定義された期間の後の連続する前記１つ又は複数のゼロ電圧交差点において終了するように構成された場合、達成され、
前記ゼロ側波帯を伴う前記１つ又は複数の変調された正弦波搬送波（１１２）の前記１つ又は複数のサイン波サイクル（１０４）の各サイクルの前記１つ又は複数の特性が、前記１つ又は複数のゼロ電圧交差点の各々のみにおける前記１つ又は複数の波サイクル（１０４）の各完全なサイクルの完了後にのみ、前記１つ又は複数の変調信号の前記１つ又は複数の値に比例して各サイクルの開始時にのみ変わるように構成され、
前記ゼロ側波帯を伴う前記１つ又は複数の変調された正弦波搬送波（１１２）の前記１つ又は複数の波サイクル（１０４）の各サイクルの前記１つ又は複数の特性が、１つ又は複数の変調信号の前記１つ又は複数の値を表し、
前記ゼロ側波帯を伴う前記１つ又は複数の変調された正弦波搬送波（１１２）の各サイクル（１０４）が、純粋なサイン波特性を保持するように構成されている、
システム（１００）。
【請求項７】
前記１つ又は複数のゼロ電圧サイクル（１１０）が、ゼロ振幅と、あらかじめ定義された位相角と、あらかじめ定義された周波数と、所定の時間期間と、それらの組合せとを備えるグループから選択された特徴を有する前記１つ又は複数の変調された正弦波搬送波（１１２）の１つ又は複数のサイクルである、請求項６に記載のシステム（１００）。
【請求項８】
前記１つ又は複数のゼロ電圧交差点は、前記ゼロ側波帯を伴う前記１つ又は複数の変調された正弦波搬送波（１１２）の位相角が０又はπの整数倍である点である、請求項６に記載のシステム（１００）。
【請求項９】
前記ゼロ側波帯を伴う前記１つ又は複数の変調された正弦波搬送波（１１２）が、導体、電磁波、及び光波を使用して、所定の距離まで進むように構成されている、請求項６に記載のシステム（１００）。
【請求項１０】
前記ゼロ側波帯を伴う前記１つ又は複数の変調された正弦波搬送波（１１２）の前記１つ又は複数のサイン波サイクル（１０４）の各サイクルの前記１つ又は複数の特性が、１つ又は複数の可変の振幅と、１つ又は複数の可変の周波数と、１つ又は複数の可変の位相角と、１つ又は複数の可変の時間期間と、それらの組合せとを備えるグループから選択される、請求項６に記載のシステム（１００）。
【請求項１１】
ゼロ側波帯を伴う搬送周波数自体を使用する、信号の受信のための方法（１１００）であって、前記方法が、
ゼロ側波帯を伴う１つ又は複数の変調された正弦波搬送波（１１２）を受信するステップ（１１０２）と、
前記ゼロ側波帯を伴う前記１つ又は複数の変調された正弦波搬送波（１１２）を最適化するステップ（１１０４）と、
前記ゼロ側波帯を伴う前記１つ又は複数の変調された正弦波搬送波（１１２）を処理するステップ（１１０６）と、
前記ゼロ側波帯を伴う前記１つ又は複数の変調された正弦波搬送波（１１２）から信号を復元するステップ（１１０８）と、
１つ又は複数の出力信号を提供するステップ（１１１０）と
を含む、方法（１１００）。
【請求項１２】
前記ゼロ側波帯を伴う前記１つ又は複数の変調された正弦波搬送波（１１２）を受信するステップが、前記ゼロ側波帯を伴う前記１つ又は複数の変調された正弦波搬送波（１１２）を増幅するステップと、１つ又は複数の搬送波周波数を選択するステップとを含む、請求項１１に記載の方法（１１００）。
【請求項１３】
前記ゼロ側波帯を伴う前記１つ又は複数の変調された正弦波搬送波（１１２）を最適化するステップが、前記受信された１つ又は複数の正弦波搬送波（１１２）を安定化するステップと、前記安定化された１つ又は複数の正弦波搬送波（１１２）をフィルタ処理するステップと、前記１つ又は複数の正弦波搬送波（１１２）から雑音及び干渉を除去するステップとを含む、請求項１１に記載の方法（１１００）。
【請求項１４】
前記ゼロ側波帯を伴う前記１つ又は複数の変調された正弦波搬送波（１１２）を処理するステップが、前記フィルタ処理された前記ゼロ側波帯を伴う変調された正弦波搬送波を増幅するステップと、利得を制御するステップと、情報を復調するステップとを含む、請求項１１に記載の方法（１１００）。
【請求項１５】
処理するステップが、前記ゼロ側波帯を伴う前記１つ又は複数の変調された正弦波搬送波（１１２）を１つ又は複数のパルスに変換するステップをさらに含む、請求項１１に記載の方法（１１００）。
【請求項１６】
前記ゼロ側波帯を伴う前記１つ又は複数の変調された正弦波搬送波（１１２）を処理するステップが、１つ又は複数のサイン波サイクル（１０４）の各サイクルの１つ又は複数の特性の値を決定して、前記１つ又は複数の出力信号を形成するために、ゼロ電圧交差点において及びそれらの間において、前記ゼロ側波帯を伴う前記１つ又は複数の変調された正弦波搬送波（１１２）の前記１つ又は複数のサイン波サイクル（１０４）の各々の１つ又は複数の特性を分析するステップをさらに含む、請求項１１に記載の方法（１１００）。
【請求項１７】
受信された前記ゼロ側波帯を伴う前記１つ又は複数の変調された正弦波搬送波（１１２）の前記１つ又は複数のサイン波サイクル（１０４）の各サイクルの前記１つ又は複数の特性を有する、前記ゼロ側波帯を伴う前記１つ又は複数の変調された正弦波搬送波（１１２）が、１つ又は複数の所定の振幅と、１つ又は複数の所定の周波数と、１つ又は複数の所定の位相角と、１つ又は複数の所定の時間期間と、それらの組合せとを備えるグループから選択される、請求項１１に記載の方法（１１００）。
【請求項１８】
ゼロ側波帯を伴う搬送周波数自体を使用する、信号の受信のためのシステム（１１５０）であって、前記システム（１１５０）が、
ゼロ側波帯を伴う１つ又は複数の変調された正弦波搬送波（１１２）を受信するように構成されたフロント・エンド・モジュール（１１５２）と、
前記ゼロ側波帯を伴う前記１つ又は複数の変調された正弦波搬送波（１１２）を最適化するように構成された安定化モジュール（１１５４）と、
前記ゼロ側波帯を伴う前記１つ又は複数の変調された正弦波搬送波（１１２）を処理するように構成された処理モジュール（１１５６）と、
前記ゼロ側波帯を伴う前記１つ又は複数の変調された正弦波搬送波（１１２）からデータを復元するように構成された復元モジュール（１１５８）と、
１つ又は複数の出力信号を提供するように構成された出力ドライバ・モジュール（１１６０）と
を備える、システム（１１５０）。
【請求項１９】
前記フロント・エンド・モジュール（１１５２）が、前記ゼロ側波帯を伴う前記１つ又は複数の変調された正弦波搬送波（１１２）を増幅し、１つ又は複数の搬送波周波数を選択するように構成されている、請求項１８に記載のシステム（１１５０）。
【請求項２０】
前記安定化モジュール（１１５４）が、前記受信された１つ又は複数の正弦波搬送波（１１２）を安定化し、前記安定化された１つ又は複数の正弦波搬送波（１１２）をフィルタ処理し、前記１つ又は複数の正弦波搬送波（１１２）から雑音及び干渉を除去するように構成されている、請求項１８に記載のシステム（１１５０）。
【請求項２１】
前記処理モジュール（１１５６）が、前記フィルタ処理された前記ゼロ側波帯を伴う変調された正弦波搬送波（１１２）を増幅し、利得を制御し、情報を復調するようにさらに構成されている、請求項１８に記載のシステム（１１５０）。
【請求項２２】
前記処理モジュール（１１５６）が、前記ゼロ側波帯を伴う前記１つ又は複数の変調された正弦波搬送波（１１２）を１つ又は複数のパルスに変換するようにさらに構成されている、請求項２１に記載のシステム（１１５０）。
【請求項２３】
前記処理モジュール（１１５６）が、前記１つ又は複数のサイン波サイクル（１０４）の各サイクルの１つ又は複数の特性の値を決定して、前記１つ又は複数の出力信号を形成するために、ゼロ電圧交差点において及びそれらの間において、ゼロ側波帯を伴う前記１つ又は複数の変調された正弦波搬送波（１１２）の前記１つ又は複数のサイン波サイクル（１０４）の各サイクルの１つ又は複数の特性を分析するように構成されている、請求項１８に記載のシステム（１１５０）。
【請求項２４】
ゼロ側波帯を伴う前記１つ又は複数の変調された正弦波搬送波（１１２）の前記１つ又は複数のサイン波サイクル（１０４）の各サイクルの前記１つ又は複数の特性を有する、受信されたゼロ側波帯を伴う前記１つ又は複数の変調された正弦波搬送波（１１２）が、１つ又は複数の所定の振幅と、１つ又は複数の所定の周波数と、１つ又は複数の所定の位相角と、１つ又は複数の所定の時間期間と、それらの組合せとを備えるグループから選択される、請求項１８に記載のシステム（１１５０）。
【国際調査報告】
2021528910.tif 000042
2021528910.tif 000043